(57)【要約】【課題】アルミ押出材からなる構造材に別の部材との連結構造を付加するに際して、構造材への位置決めの労力を大幅に軽減してその作業性を向上させることができ、また連結箇所が増えても部品コストを著しく増加させることがない経済性に優れた連結具について、複雑な操作手順を要求することなく電気通信回線を用いた販売の仲介を行うことができるようにすること。【解決手段】長手方向に沿ってアンダーカットされた溝３１を形成する構造材１１に装着される連結具１０１として、溝３１に嵌合する基部１１１の一又は二以上の予め決められた位置に、溝３１の間口３２から外部に露出して他の部材との連結構造をなす連結部１２１を形成したものを用いる。購入を望む連結具１０１の基部１１１の幅と長さとを決定付ける構造材１１の属性情報、連結部１２１の種類と位置と数量とを特定する連結部特定情報を購入者端末に入力させ、インターネット販売を可能とする。【選択図】図６
2016076111.tif 000002
【特許請求の範囲】
【請求項１】
情報処理を実行する情報処理部が、
押出成型された構造材にその長手方向に沿って形成されて間口で一対の突条を対面させるアンダーカットされた断面形状の溝に嵌合し、前記突条に抜け止めされる幅寸法でかつ前記構造材と同一の長さ寸法に設定された板金製の基部と、前記基部の一又は二以上の予め決められた位置に形成されて、前記溝に前記基部が嵌合したときに当該溝の間口から外部に露出して他の部材との連結構造をなす連結部とを備える連結具について、
電気通信回線を介してデータの送受信を実行してデータ受信した情報を閲覧可能にする情報処理端末である購入者の購入者端末と販売者の販売者端末との間で販売情報を仲介する販売仲介装置であって、
前記情報処理部が、前記購入端末に向けて、
購入を望む前記連結具の前記基部の幅と長さとを決定付ける前記構造材の属性情報を入力させる第１の情報入力画面と、
購入を望む前記連結具の前記連結部の種類と位置と数量とを特定する連結部特定情報を入力させる第２の情報入力画面と、
前記第１及び第２の情報入力画面で入力した注文情報を確定させる注文確定画面と、
を表示させるデータを送信する手段と、
前記情報処理部が、前記注文確定画面で前記購入者端末が確定した注文情報のデータを受信し、記憶部に保存する手段と、
前記情報処理部が、前記販売者端末に向けて、前記記憶部が保存する確定した注文情報のデータを送信する手段と、
を備えることを特徴とする販売仲介装置。
【請求項２】
前記情報処理部が、前記第１及び第２の情報入力画面に先立ち、前記購入者端末に向けて、購入対象が前記連結具だけなのか、この連結具を装着する前記構造材も含めて購入対象とするのかを択一的に選択させる購入対象選択画面を表示させるデータを送信する手段を備える、
ことを特徴とする請求項１に記載の販売仲介装置。
【請求項３】
前記第１の情報入力画面は、購入を望む前記連結具を装着する前記構造材の太さと長さの寸法を前記属性情報として入力させる、
ことを特徴とする請求項１又は２に記載の販売仲介装置。
【請求項４】
前記第１の情報入力画面は、購入を望む前記連結具を装着する前記構造材のメーカー名と型番号と長さとを前記属性情報として入力させる、
ことを特徴とする請求項１又は２に記載の販売仲介装置。
【請求項５】
前記購入対象選択画面は、購入対象が前記連結具を前記構造材に装着した連結具付き構造材を用いたフレーム構造体なのかも択一的に選択させる、
ことを特徴とする請求項２に記載の販売仲介装置。
【請求項６】
前記購入対象選択画面は、前記フレーム構造体が購入対象として選択される場合、前記構造材を購入対象にしないという選択肢を用意する、
ことを特徴とする請求項５に記載の販売仲介装置。
【請求項７】
前記情報処理部は、前記フレーム構造体が購入対象として選択された場合、前記購入者端末に向けて、
前記フレーム構造体のモデル例を示すモデル画像を表示して択一的に選択させる選択サブ画面を表示させるデータと、
前記選択サブ画面において選択されたモデル画像を個々の前記構造材を択一的に選択自在に前記第１及び第２の情報入力画面に表示し、選択された前記構造材毎に前記属性情報と前記連結具特定情報とを入力させるデータと、
を送信する、
ことを特徴とする請求項５又は６に記載の販売仲介装置。
【請求項８】
前記第１の情報入力画面は、前記フレーム構造体の三次元寸法を前記属性情報として入力させる、
ことを特徴とする請求項５ないし７のいずれか一に記載の販売仲介装置。
【請求項９】
前記第１の情報入力画面は、購入を望む前記連結具を装着する前記構造材の太さ寸法を前記属性情報として入力させる、
ことを特徴とする請求項８に記載の販売仲介装置。
【請求項１０】
前記第１の情報入力画面は、購入を望む前記連結具を装着する前記構造材のメーカー名と型番号とを前記属性情報として入力させる、
ことを特徴とする請求項８に記載の販売仲介装置。
【請求項１１】
前記注文確定画面は、前記フレーム構造体が購入対象として選択されて前記第１及び第２の情報入力画面で必要な情報が入力されている場合、購入対象として選択されたモデル画像上で個々の前記構造材に対応する注文情報を表示させる、
ことを特徴とする請求項５ないし１０のいずれか一に記載の販売仲介装置。
【請求項１２】
前記情報処理部は、前記フレーム構造体が購入対象として確定している場合、前記販売者端末に向けて、購入対象として確定したモデル画像上で個々の前記構造材に対応する注文情報を表示させる注文確認画面のデータを送信する、
ことを特徴とする請求項５ないし１１のいずれか一に記載の販売仲介装置。
【請求項１３】
前記第２の情報入力画面は、購入を望む前記連結具の端部から直近に位置する前記連結部までの距離寸法と前記連結部の配列ピッチとを、前記連結部の位置と数量とを特定する前記連結部特定情報として入力させる、
ことを特徴とする請求項１ないし１２のいずれか一に記載の販売仲介装置。
【請求項１４】
情報処理を実行する情報処理部が、
押出成型された構造材にその長手方向に沿って形成されて間口で一対の突条を対面させるアンダーカットされた断面形状の溝に嵌合し、前記突条に抜け止めされる幅寸法でかつ前記構造材と同一の長さ寸法に設定された板金製の基部と、前記基部の一又は二以上の予め決められた位置に形成されて、前記溝に前記基部が嵌合したときに当該溝の間口から外部に露出して他の部材との連結構造をなす連結部とを備える連結具について、
電気通信回線を介してデータの送受信を実行してデータ受信した情報を閲覧可能にする情報処理端末である購入者の購入者端末と販売者の販売者端末との間で販売情報を仲介する販売仲介方法であって、
前記情報処理部が、前記購入端末に向けて、
購入を望む前記連結具の前記基部の幅と長さとを決定付ける前記構造材の属性情報を入力させる第１の情報入力画面と、
購入を望む前記連結具の前記連結部の種類と位置と数量とを特定する連結部特定情報を入力させる第２の情報入力画面と、
前記第１及び第２の情報入力画面で入力した注文情報を確定させる注文確定画面と、
を表示させるデータを送信する工程と、
前記情報処理部が、前記注文確定画面で前記購入者端末が確定した注文情報のデータを受信し、記憶部に保存する工程と、
前記情報処理部が、前記販売者端末に向けて、前記記憶部が保存する確定した注文情報のデータを送信する工程と、
を備えることを特徴とする販売仲介方法。
【請求項１５】
押出成型された構造材にその長手方向に沿って形成されて間口で一対の突条を対面させるアンダーカットされた断面形状の溝に嵌合し、前記突条に抜け止めされる幅寸法でかつ前記構造材と同一の長さ寸法に設定された板金製の基部と、前記基部の一又は二以上の予め決められた位置に形成されて、前記溝に前記基部が嵌合したときに当該溝の間口から外部に露出して他の部材との連結構造をなす連結部とを備える連結具について、
電気通信回線を介してデータの送受信を実行してデータ受信した情報を閲覧可能にする情報処理端末である購入者の購入者端末と販売者の販売者端末との間で販売情報を仲介する販売仲介装置が備えるコンピュータにインストールされ、
当該コンピュータに、
前記購入端末に向けて、
購入を望む前記連結具の前記基部の幅と長さとを決定付ける前記構造材の属性情報を入力させる第１の情報入力画面と、
購入を望む前記連結具の前記連結部の種類と位置と数量とを特定する連結部特定情報を入力させる第２の情報入力画面と、
前記第１及び第２の情報入力画面で入力した注文情報を確定させる注文確定画面と、
を表示させるデータを送信する機能と、
前記注文確定画面で前記購入者端末が確定した注文情報のデータを受信し、記憶部に保存する機能と、
前記販売者端末に向けて、前記記憶部が保存する確定した注文情報のデータを送信する機能と、
を実行させる、機械読み取り可能なコンピュータプログラム。
【発明の詳細な説明】
【技術分野】
【０００１】
本発明は、アルミなどの押出材からなる構造材に装着されて別の部材との連結に供される連結具などの販売を仲介する販売仲介装置、販売仲介方法、及び販売仲介用のコンピュータプログラムに関する。
【背景技術】
【０００２】
およそ世の中の構造物には、ほとんどすべてと言っても過言でないほど支柱やビームなどの構造材が用いられている。電気機器や電子機器の筐体しかり、机やキャビネットなどの什器類しかり、自動車のフレームしかり、建築構造物しかりである。
【０００３】
支柱やビームなどの構造材として伝統的に用いられてきたものは、板金製のものである。例えば特許文献１に開示されているゲーム機のフレーム構造体は、複数個の鉄板板金を溶接して構成されている（段落００１６参照）。
【０００４】
ところが板金製の構造材は複数枚の板金を組み合わせ、溶接などの手法で固定して製造するのが一般的であることから、組み立て性が必ずしも良好ではなく、部品の汎用性にも乏しいという問題がある。
【０００５】
そこで近年では、アルミなどの押出材による支柱やビームが広く用いられるようになってきている。
【０００６】
例えば特許文献２は、機械、装置、足場その他同種のものの基部として用いられるアルミ押出材を開示している（第１欄第５行〜第２１行参照）。
【０００７】
特許文献３は、複数枚のフェンスを連結して支持する支柱（フェンス端枠２０、連結支柱３０）にアルミ押出材を用いたフェンスの連結装置を開示している（段落０００７、段落００１４〜００１５参照）。
【０００８】
特許文献４は、アルミ押出材（ベース盤（Ｂ））を利用した屋内用の手摺を開示している（段落００３８参照）。
【０００９】
このような押出材による構造材は押出成形による一体成型品であり、支柱やビームなどの構造材として成り立たせるために複数個の部品を組み合わせる必要がない。このため製造が比較的容易であり、部品単価も安いという利点がある。
【先行技術文献】
【特許文献】
【００１０】
【特許文献１】特開平０７−２５５９３５号公報
【特許文献２】米国特許第５５４７１６１号明細書
【特許文献３】特開平０８−３２６３６２号公報
【特許文献４】特開２００９−２１８１４５号公報
【発明の概要】
【発明が解決しようとする課題】
【００１１】
ところが押出材も良いことずくめというわけではない。別の部材との連結構造については板金製の構造材に一歩譲るのである。つまり支柱やビームなどの構造材は単独で成り立つものではなく、別の部材と連結したりして使用される。このため別の部材と連結するための連結構造が必要になる。
【００１２】
例えば特許文献１には、長手方向に沿う溝１４を押出材からなる支柱に形成しておき、この溝１４に連結対象物を連結するための連結具（特許文献２では連結手段（connection means））を取り付けて固定することが開示されている（図１の符号１４、第３欄第３６行〜第４１行参照）。
【００１３】
特許文献３が開示する連結構造も特許文献２のそれと共通している。支柱の一部をなす押出材からなるフェンス端枠２０にスライド溝２３を形成しておき、このスライド溝２３にジョイント部材１０を挿入して取り付けるという構造である（段落００１４参照）。
【００１４】
これに対して特許文献４に記載されている連結構造は異なる手法を採用している。アルミ押出材からなるベース盤（Ｂ）にタッピング加工を施してねじ孔を形成し、ベース盤（Ｂ）をネジ（１９）で建物の壁面（Ｗ）に固定しているのである（段落００４３参照）。その他にも特許文献４は、ベース盤（Ｂ）にドリリング加工を施し、釘や木ネジ、皿ネジ（１９）などの固定具によって建物の壁面（Ｗ）に固定する例も紹介しており、その際に接着剤や両面接着テープを併用することも開示している（段落００４４参照）。
【００１５】
以上見てきたように、支柱やビームなどの構造材として用いる押出材を別の部材に連結する連結構造としては、押出材に連結具を装着したり（特許文献２、３）、押出材自体にタッピング加工やドリリング加工を施したりする（特許文献４）、といった手法が従来から用いられている。
【００１６】
しかしながらいずれの連結構造を採用するにしても、連結具の装着位置を正確に定めたり、タッピング加工やドリリング加工の位置精度をだしたりするための作業が煩雑で、作業性に劣るという問題がある。これはプレス加工によって連結構造を容易に作製することができる板金製の構造材に対する大きな弱点である。
【００１７】
押出材が内在するこうした問題は、連結構造を必要とする箇所が増えれば増えるほど大きくクローズアップされてしまう。しかも連結具を用いる場合には、連結構造を必要とする箇所の増加にしたがい部品コストが増大してしまうという新たな問題も発生する。アルミ押出材それ自体は部品単価が安いのに、別の部材との連結箇所が多くなるにしたがい全体としての部品コストが思わぬほど高額になる、というのが押出材を利用する者に共通する悩みなのである。
【００１８】
本発明はこのような点に鑑みなされたもので、アルミなどの押出材からなる構造材に別の部材との連結構造を付加するに際して、構造材への位置決めの労力を大幅に軽減してその作業性を向上させることができ、また連結箇所が増えても部品コストを著しく増加させることがない経済性に優れた連結具について、複雑な操作手順を要求することなく電気通信回線を用いた販売の仲介を行うことができるようにすることを目的とする。
【課題を解決するための手段】
【００１９】
本発明は、情報処理を実行する情報処理部が、押出成型された構造材にその長手方向に沿って形成されて間口で一対の突条を対面させるアンダーカットされた断面形状の溝に嵌合し、前記突条に抜け止めされる幅寸法でかつ前記構造材と同一の長さ寸法に設定された板金製の基部と、前記基部の一又は二以上の予め決められた位置に形成されて、前記溝に前記基部が嵌合したときに当該溝の間口から外部に露出して他の部材との連結構造をなす連結部とを備える連結具について、電気通信回線を介してデータの送受信を実行してデータ受信した情報を閲覧可能にする情報処理端末である購入者の購入者端末と販売者の販売者端末との間で販売情報を仲介する販売仲介装置であって、前記購入端末に向けて、購入を望む前記連結具の前記基部の幅と長さとを決定付ける前記構造材の属性情報を入力させる第１の情報入力画面と、購入を望む前記連結具の前記連結部の種類と位置と数量とを特定する連結部特定情報を入力させる第２の情報入力画面と、購入対象の購入数量を入力させる第３の情報入力画面と、前記第１から第３の情報入力画面で入力した注文情報を確定させる注文確定画面と、を表示させるデータを送信する手段と、前記注文確定画面で前記購入者端末が確定した注文情報を受信し、記憶部に保存する手段と、前記販売者端末に向けて、前記記憶部が保存する確定した注文情報を送信する手段と、を備えることによって上記課題を解決する。
【００２０】
本発明は、情報処理を実行する情報処理部が、押出成型された構造材にその長手方向に沿って形成されて間口で一対の突条を対面させるアンダーカットされた断面形状の溝に嵌合し、前記突条に抜け止めされる幅寸法でかつ前記構造材と同一の長さ寸法に設定された板金製の基部と、前記基部の一又は二以上の予め決められた位置に形成されて、前記溝に前記基部が嵌合したときに当該溝の間口から外部に露出して他の部材との連結構造をなす連結部とを備える連結具について、電気通信回線を介してデータの送受信を実行してデータ受信した情報を閲覧可能にする情報処理端末である購入者の購入者端末と販売者の販売者端末との間で販売情報を仲介する販売仲介方法であって、前記購入端末に向けて、購入を望む前記連結具の前記基部の幅と長さとを決定付ける前記構造材の属性情報を入力させる第１の情報入力画面と、購入を望む前記連結具の前記連結部の種類と位置と数量とを特定する連結部特定情報を入力させる第２の情報入力画面と、購入対象の購入数量を入力させる第３の情報入力画面と、前記第１から第３の情報入力画面で入力した注文情報を確定させる注文確定画面と、を表示させるデータを送信する工程と、前記注文確定画面で前記購入者端末が確定した注文情報を受信し、記憶部に保存する工程と、前記販売者端末に向けて、前記記憶部が保存する確定した注文情報を送信する工程と、を備えることによって上記課題を解決する。
【００２１】
本発明の機械読み取り可能なコンピュータプログラムは、押出成型された構造材にその長手方向に沿って形成されて間口で一対の突条を対面させるアンダーカットされた断面形状の溝に嵌合し、前記突条に抜け止めされる幅寸法でかつ前記構造材と同一の長さ寸法に設定された板金製の基部と、前記基部の一又は二以上の予め決められた位置に形成されて、前記溝に前記基部が嵌合したときに当該溝の間口から外部に露出して他の部材との連結構造をなす連結部とを備える連結具について、電気通信回線を介してデータの送受信を実行してデータ受信した情報を閲覧可能にする情報処理端末である購入者の購入者端末と販売者の販売者端末との間で販売情報を仲介する販売仲介装置が備えるコンピュータにインストールされ、当該コンピュータに、前記購入端末に向けて、購入を望む前記連結具の前記基部の幅と長さとを決定付ける前記構造材の属性情報を入力させる第１の情報入力画面と、購入を望む前記連結具の前記連結部の種類と位置と数量とを特定する連結部特定情報を入力させる第２の情報入力画面と、購入対象の購入数量を入力させる第３の情報入力画面と、前記第１から第３の情報入力画面で入力した注文情報を確定させる注文確定画面と、を表示させるデータを送信する機能と、前記注文確定画面で前記購入者端末が確定した注文情報を受信し、記憶部に保存する機能と、前記販売者端末に向けて、前記記憶部が保存する確定した注文情報を送信する機能と、を実行させることによって上記課題を解決する。
【発明の効果】
【００２２】
本発明によれば、アルミなどの押出材からなる構造材に別の部材との連結構造を付加するに際して、構造材への位置決めの労力を大幅に軽減してその作業性を向上させることができ、また連結箇所が増えても部品コストを著しく増加させることがない経済性に優れた連結具について、複雑な操作手順を要求することなく電気通信回線を用いた販売の仲介を行うことができる。
【図面の簡単な説明】
【００２３】
【図１】押出材による構造材の一例を示す斜視図。
【図２】拡大して示す構造材の側面図。
【図３】連結具の実施の一形態を示す斜視図。
【図４】共に長さ寸法が一致していることを示す連結具と構造材との平面図。
【図５】連結具の正面図。
【図６】構造材に連結具を装着した状態（連結具付き構造材）を示す斜視図。
【図７】構造材に連結具を装着した状態（連結具付き構造材）を拡大して示す側面図。
【図８】第１の変形例として、構造材に連結具を装着した状態（連結具付き構造材）を拡大して示す側面図。
【図９】第２の変形例として、構造材に連結具を装着した状態（連結具付き構造材）を拡大して示す側面図。
【図１０】第３の変形例として、構造材に連結具を装着した状態（連結具付き構造材）を拡大して示す側面図。
【図１１】第４の変形例として、構造材に連結具を装着した状態（連結具付き構造材）を拡大して示す側面図。
【図１２】第５の変形例として、構造材に連結具を装着した状態（連結具付き構造材）を拡大して示す側面図。
【図１３】連結具付き構造材（あるいは構造材）同士を連結するためのコネクタの一例を示す斜視図。
【図１４】コネクタを形成するための板金の平面図。
【図１５】フレーム構造体の一例を示す斜視図。
【図１６】電気通信回線を介して情報の送受信を行うＷＥＢサーバ（販売仲介装置）と情報処理端末である購入者端末及び販売者端末との接続状態の一例を示す模式図。
【図１７】ＷＥＢサーバのハードウェア構成を示すブロック図。
【図１８】情報処理端末である購入者端末及び販売者端末のハードウェア構成を示すブロック図。
【図１９】コンピュータプログラムがＷＥＢサーバに実行させる購入者端末との間の販売仲介処理及び方法の流れを示すフローチャート。
【図２０】購入対象選択画面で連結具（あるいは連結具付き構造材）を購入対象として選択した購入者端末に表示させる第１の情報入力画面の状態遷移の一例を示す模式図。
【図２１】購入対象選択画面でフレーム構造体を購入対象として選択した購入者端末に表示させる購入対象選択画面の状態遷移の一例を示す模式図。
【図２２】購入対象選択画面で連結具（あるいは連結具付き構造材）を購入対象として選択した購入者端末に表示させる第２の情報入力画面の状態遷移の一例を示す模式図。
【図２３】購入対象選択画面で連結具（あるいは連結具付き構造材）を購入対象として選択した購入者端末に表示させる注文確定画面の一例を示す模式図。
【図２４】購入対象選択画面でフレーム構造体を購入対象として選択した購入者端末に表示させる選択サブ画面と第１の情報入力画面との状態遷移の一例を示す模式図。
【図２５】購入対象選択画面でフレーム構造体を購入対象として選択した購入者端末に表示させる第２の情報入力画面の状態遷移の一例を示す模式図。
【図２６】購入対象選択画面でフレーム構造体を購入対象として選択した購入者端末に表示させる注文確定画面の一例を示す模式図。
【図２７】コンピュータプログラムがＷＥＢサーバに実行させる販売者端末との間の販売仲介処理及び方法の流れを示すフローチャート。
【図２８】購入対象選択画面で連結具（あるいは連結具付き構造材）が購入対象として選択された場合に販売者端末で閲覧可能な注文確認画面の一例を示す模式図。
【図２９】購入対象選択画面でフレーム構造体が購入対象として選択された場合に販売者端末で閲覧可能な注文確認画面の一例を示す模式図。
【発明を実施するための形態】
【００２４】
実施の形態を図面に基づいて説明する。
最初に図１〜図１５に基づいて、本実施の形態の販売仲介装置であるＷＥＢサーバ６０１（図１６及び図１７参照）、販売仲介方法、並びにコンピュータプログラムによる販売仲介の対象である商品、つまり連結具、連結具付き構造材、及びフレーム構造体について説明する。
続いて図１６〜図２９に基づいて、販売仲介装置としてのＷＥＢサーバ６０１、販売仲介方法、並びにコンピュータプログラムについて説明する。
【００２５】
次の項目に沿って説明する。
１．連結具、連結具付き構造材、及びフレーム構造体
（１）構造材と連結具
（２）構造材の連結方法
（ａ）導入工程
（ｂ）定置工程
（ｃ）連結工程
（３）連結材及び連結材付き構造材の作用効果
（４）連結材及び連結材付き構造材の変形例
（ａ）変形例１
（ｂ）変形例１
（ｃ）変形例１
（ｄ）変形例１
（ｅ）変形例１
（ｆ）その他の変形例
（５）フレーム構造体
２．販売仲介装置、販売仲介方法、及びコンピュータプログラム
（１）電気通信回線を用いたネットワーク通信網
（２）販売仲介装置（ＷＥＢサーバ）のハードウェア構成
（３）情報処理端末（購入者端末及び販売者端末）のハードウェア構成
（４）販売仲介処理及び方法
（４−１）販売仲介処理及び方法（その一）
（ａ）連結具又は連結具付き構造材が選択された場合
（ａ−１）  第１の情報入力画面８１１Ａ
（ａ−２）  第１の情報入力画面８１１Ｂ
（ａ−３）  第１の情報入力画面８１１Ｃ
（ａ−４）  第２の情報入力画面８３１Ａ
（ａ−５）  第２の情報入力画面８３１Ｂ
（ａ−６）  第２の情報入力画面８３１Ｃ
（ａ−７）  第２の情報入力画面８３１Ｄ
（ａ−８）  第２の情報入力画面８３１Ｄａ
（ａ−９）  第２の情報入力画面８３１Ｄｂ
（ａ−１０）第２の情報入力画面８３１Ｅ
（ａ−１１）第２の情報入力画面８３１Ｅａ
（ａ−１２）注文確定画面
（ｂ）フレーム構造体が選択された場合
（ｂ−１）  選択サブ画面
（ｂ−２）  第１の情報入力画面８１１Ｆ
（ｂ−３）  第１の情報入力画面８１１Ａ
（ｂ−４）  第１の情報入力画面８１１Ｂ
（ｂ−５）  第１の情報入力画面８１１Ｃ
（ｂ−６）  第２の情報入力画面８３１Ａ
（ｂ−７）  第２の情報入力画面８３１Ｂ
（ｂ−８）  第２の情報入力画面８３１Ｃ
（ｂ−９）  第２の情報入力画面８３１Ｄ
（ｂ−１０）第２の情報入力画面８３１Ｄａ
（ｂ−１１）第２の情報入力画面８３１Ｄｂ
（ｂ−１２）第２の情報入力画面８３１Ｅ
（ｂ−１３）第２の情報入力画面８３１Ｅａ
（ｂ−１４）注文確定画面
（４−２）販売仲介処理及び方法（その二）
（ａ）注文確認画面（連結具、連結具付き構造材が注文された場合）
（ｂ）注文確認画面（フレーム構造体が注文された場合）
（５）販売仲介装置、販売仲介方法、コンピュータプログラムの作用効果
（６）販売仲介装置、販売仲介方法、コンピュータプログラムの変形例
（ａ）アーキテクチァ
（ｂ）各種画面
（ｃ）処理
【００２６】
１．連結具、連結具付き構造材、及びフレーム構造体
本実施の形態において販売仲介の対象商品である連結具１０１（図３参照）は、押出成型された構造材１１に装着され、別の部材との連結に供される。このような連結具１０１、連結具１０１を構造材１１に装着した連結具付き構造材２０１、そして連結具付き構造材２０１を利用して形成するフレーム構造体３０１（図１５参照）について紹介する。
【００２７】
（１）構造材と連結具
図１に示すように、本実施の形態で用いる構造材１１は、全体が細長い正四角柱形状をした押出材であり、アルミやステンレス、それらを含む合金などを材料として成形されている。このような構造材１１には、押出成形に際して、その長手方向に沿ってねじ孔２１と溝３１とが形成されている。ねじ孔２１は構造材１１の中心部を貫通し、溝３１は構造材１１の四辺それぞれに同一寸法同一形状で形成されている。
図２に示すように、溝３１はその間口３２で一対の突条３３を対面させるアンダーカットされた断面形状をしている。間口３２の幅寸法はｗ１、突条３３の肉厚寸法はｔ１である。したがって一対の突条３３はその厚み寸法ｔ１だけ寸法ｗ１の距離を置いて互いに対面している。
このような溝３１はアンダーカットされた断面形状を有しているので、突条３３の対面部分から奥に入ると幅を拡大し、拡大部３４を形成している。拡大部３４における溝３１の最大幅寸法はｗ２であり、言うまでもなくｗ１＜ｗ２の関係をなしている。突条３３はその表面３３ａから裏面３３ｂに至る厚み寸法ｔ１を一定にして形成されているので、溝３１は突条３３の対面部分から奥に入って拡大部３４に至るといきなり最大幅寸法ｗ２となり、さらに奥に進むにつれて徐々に幅寸法を狭める。このような形状から、拡大部３４は構造材１１の中心部を頂上側とする富士山のような形状に形成されている。
図２中に示す幅寸法ｗ３と厚み寸法ｔ２とについては後述する。
【００２８】
図３に示すように、連結具１０１は細長い形状をした基部１１１の三箇所に連結部１２１を形成し、これらの連結部１２１のそれぞれにねじ孔１２２を形成したものである。
プレスによる板金のせん断加工によって基部１１１を成形し、曲げ加工によって基部１１１から突出する連結部１２１を形成する。そしてダイシング加工によってねじ孔１２２することで、簡単に連結具１０１を形成することができる。
【００２９】
図４に示すように、連結具１０１の長さ寸法ｃＬ１は構造材１１の長さ寸法Ｌ１と同一の長さ寸法に形成されている。そして基部１１１の幅は寸法ｃｗ３に設定され、連結部１２１の幅は寸法ｃｗ１に設定されている。
【００３０】
図５に示すように、連結具１０１は基部１１１の肉厚を寸法ｃｔ２に設定し、連結部１２１の突出高さを寸法ｃｔ１に設定している。
【００３１】
ここで構造材１１と連結具１０１との間の各部の寸法関係について説明する。
まず連結具１０１の基部１１１の厚さ寸法ｃｔ２（図５参照）は、図２に示す寸法ｔ２と一致している。この寸法ｔ２は、一対の突条３３の裏面３３ｂから拡大部３４の底部に向けてｔ２だけ進んだ距離寸法である。そして拡大部３４の相対向する傾斜した壁面上において、寸法ｔ２の位置での対向間隔の幅寸法が図２に示すｗ３であり、連結具１０１の基部１１１の幅寸法ｃｗ３（図５参照）は、その幅寸法ｗ３と同じ寸法に形成されている。
ついで図５に示す連結具１０１の連結部１２１の幅寸法ｃｗ１は、一対の突条３３を対面させる間口３２の幅寸法ｃｗ１と同じ寸法に形成されている。そして連結部１２１の突出高さの寸法ｃｔ１は、一対の突条３３の厚み寸法ｔ１と同じ寸法に形成されている。
【００３２】
以上を整理すると、
Ｌ１（構造材１１の長さ寸法）＝ｃＬ１（連結具１０１の長さ寸法）  ……（１）
ｗ１（間口３２の幅寸法）＞ｗ２（溝３１の最大幅寸法）            ……（２）
ｃｗ３（連結具１０１の基部１１１の幅寸法）＝ｗ３                ……（３）
ｃｔ２（連結具１０１の基部１１１の厚み寸法）＝ｔ２              ……（４）
ｃｗ１（連結具１０１の連結部１２１の幅寸法）＝ｗ１              ……（５）
ｃｔ１（連結具１０１の連結部１２１の高さ寸法）＝ｔ１            ……（６）
となる。（１）〜（６）は設定条件である。
【００３３】
したがって図６及び図７に示すように、連結具１０１を構造材１１に形成した溝３１に嵌合させることができる。
このとき連結具１０１の基部１１１は、上記条件（３）（４）によって構造材１１の溝３１に形成された拡大部３４の傾斜した壁面と突条３３の裏面３３ｂとの間に隙間なく挟まれた状態になる。また連結具１０１の連結部１２１は、上記条件（５）によって一対の突条３３の間に隙間なく挟まれた状態になり、上記条件（６）によって構造材１１の表面、つまり図示しない他の部材との連結面Ａと同一面内に位置付けられることになる。
これにより連結具１０１は、所定の接触摩擦をもって構造材１１の溝３１に嵌合する。この場合の「所定の接触摩擦」は、構造材１１を鉛直に立てた状態でも連結具１０１が溝３１から滑り落ちない程度以上の接触摩擦である。
【００３４】
こうして連結具１０１を構造材１１に装着することで、連結具付き構造材２０１を得ることができる。
【００３５】
（２）構造材の連結方法
構造材１１に連結具１０１を適用して他の部材（図示せず）と連結する連結具付き構造材２０１の連結方法について説明する。
この方法は「導入工程」「定置工程」「連結工程」の三工程からなる。
【００３６】
（ａ）導入工程
他の部材と連結しようとする構造材１１の連結面Ａに形成されている溝３１に、連結具１０１を挿入する工程である。
連結具１０１は構造材１１の一端部側から挿入される。連結具１０１の基部１１１は溝３１の拡大部３４に、連結部１２１は一対の突条３３の対向空間に挿入される。
このとき連結部１２１は、構造材１１の連結面Ａと同一面内に位置付けられる。
また連結具１０１は所定の接触摩擦をもって構造材１１の溝３１に嵌合することから、構造材１１を鉛直に立てた状態でも溝３１から滑り落ちない。
【００３７】
（ｂ）定置工程
構造材１１の溝３１に挿入した連結具１０１の位置を定める工程である。
この工程では、連結具１０１の基部１１１の一端部を構造材１１の一端部と同一面内に位置合わせする。
これによって連結具１０１の連結部１２１が連結位置、つまり構造材１１と他の部材とを連結しようとする位置に位置付けられる。
【００３８】
（ｃ）連結工程
構造材１１と他の部材とを連結する工程である。
他の部材は、構造材１１に装着した連結具１０１の連結部１２１を利用して連結する。つまり連結部１２１に形成したねじ孔１２２に他の部材をねじ止めするわけである。
【００３９】
（３）連結材及び連結材付き構造材の作用効果
本実施の形態によれば、構造材１１に形成した溝３１に連結具１０１を挿入し、互いの一端部側を同一面内に位置合わせしたまま連結部１２１と他の部材とを連結するだけという簡単な作業を行うだけで、構造材１１に別の部材との連結構造を手早く付加することができる。この際、構造材１１を鉛直に立てた状態でも溝３１から連結具１０１が滑り落ちないので、「導入工程」「定置工程」「連結工程」のいずれの工程においても、良好な作業性が得られる。
したがって連結構造をなす連結具１０１を位置決めするための労力を大幅に軽減して、その作業性を向上させることができる。
【００４０】
しかも本実施の形態によれば、他の部材との連結箇所に合わせて基部１１１に連結部１２１を設けるだけで連結箇所を簡単に増やすことができる。
したがって連結箇所が増えても部品コストを著しく増加させない経済性に優れた連結具１０１、連結具付き構造材２０１及び構造材１１と他の部材とを連結する構造材の連結方法を得ることができる。
【００４１】
加えて本実施の形態では、連結部１２１が構造材１１の連結面Ａと同一面内に位置付けられ、その状態を維持したまま連結部１２１に別の部材を連結することができる。
したがって構造材１１と別の部材との連結状態を確実で強固なものとすることができる。
【００４２】
（４）連結材及び連結材付き構造材の変形例
本実施の形態の連結具１０１、連結具付き構造材２０１については、各種の変更や変形が可能である。ここでは各種の変形例を紹介する。これらの各種変形例は一例を示すに過ぎず、ここで紹介するものだけが変形例として許容されることを意図していない。
【００４３】
（ａ）変形例１
図８に変形例１を示す。
本例は、連結具１０１の連結部１２１の幅寸法ｃｗ１を構造材１１に形成した溝３１の間口３２の幅寸法ｗ１よりも小さくした例である。
つまり上記条件（５）を、
ｃｗ１（連結具１０１の連結部１２１の幅寸法）＜ｗ１              ……（５）
とした。上記条件（１）〜（４）（６）については図３〜図７に示す実施の形態と変更がない。
したがって導入工程において、構造材１１の連結面Ａに形成されている溝３１に連結具１０１を挿入すれば、連結部１２１が連結面Ａと同一面内に位置付けられる。
この際、連結具１０１は構造材１１の溝３１と基部１１１との間の摩擦抵抗のみによって溝３１に保持される。このような摩擦抵抗による保持によって、構造材１１を鉛直に立てた状態でも、連結具１０１は溝３１から滑り落ちない。
本例では構造材１１に対する連結具１０１の装着精度を、専ら溝３１（突条３３の裏面３３ｂと拡大部３４の斜面）と基部１１１との間の位置精度に依存している。このため連結具１０１において連結部１２１の成形精度が幾分低くても、あるいは基部１１１と連結部１２１との間の位置精度が幾分低くても、構造材１１に対して連結具１０１を支障なく正確な位置に装着することができるという利点がある。
【００４４】
（ｂ）変形例２
図９に変形例２を示す。
本例は、連結具１０１において連結部１２１を基部１１１から突出させず、基部１１１と連結部１２１との高さを同じ高さに揃えた例である。よって連結具１０１は、完全に平板形状に形成されている。
このため上記条件（６）は成立せず、あえて言うなら、
ｃｔ１（連結具１０１の連結部１２１の高さ寸法）＝０
ｃｔ１＜ｔ１                                                    ……（６）
となる。上記条件（１）〜（５）については図３〜図７に示す実施の形態と変更がない。
したがって本例では、連結具１０１の連結部１２１は構造材１１に形成した溝３１の間口３２から外部に露出はするが、連結面Ａとの間に突条３３の厚み寸法ｔ１分の距離を開ける。この状態で別の部材との連結を果たすわけである。
このため構造材１１と別の部材との間の連結状態の強度という面では一歩譲るものの、連結具１０１を簡単かつ安価に製造することができる。
【００４５】
（ｃ）変形例３
図１０に変形例３を示す。
本例は、連結具１０１の基部１１１の幅寸法ｃｗ３を、この基部１１１と嵌合する構造材１１に形成した溝３１の幅寸法ｗ３よりも小さくした例である。
つまり上記条件（３）を、
ｃｗ３（連結具１０１の基部１１１の幅寸法）＜ｗ３                ……（３）
とした。上記条件（１）（２）（４）〜（６）については図３〜図７に示す実施の形態と変更がない。
したがって導入工程及び定置工程においては、構造材１１の連結面Ａに形成されている溝３１に連結具１０１を挿入したとしても、連結部１２１は連結面Ａと同一面内に位置付けられず、連結面Ａよりも奥に引っ込む。それが連結工程で別の部材を連結部１２１に連結すると、連結部１２１は連結面Ａと同一面内に位置付けられ、連結具付き構造材２０１と別の部材との間の連結状態を確実で強固なものにすることができる。
このような連結具付き構造材２０１と別の部材との間の連結過程において、連結具１０１は構造材１１の溝３１と連結部１２１との間の摩擦抵抗のみによって溝３１に保持される。このような摩擦抵抗による保持によって、構造材１１を鉛直に立てた状態でも、連結具１０１は溝３１から滑り落ちない。
本例では構造材１１に対する連結具１０１の装着精度を、専ら溝３１（一対の突条３３の対向面）と連結部１２１との間の位置精度に依存している。このため連結具１０１において基部１１１の成形精度が幾分低くても、あるいは基部１１１と連結部１２１との間の位置精度が幾分低くても、構造材１１に対して連結具１０１を支障なく正確な位置に装着することができるという利点がある。
【００４６】
（ｄ）変形例４
図１１に変形例４を示す。
本例は、連結具１０１の連結部１２１の幅寸法ｃｗ１を構造材１１に形成した溝３１の間口３２の幅寸法ｗ１よりも小さくし、かつ、連結具１０１の基部１１１の幅寸法ｃｗ３を、この基部１１１と嵌合する構造材１１に形成した溝３１の幅寸法ｗ３よりも小さくした例である。
つまり上記条件（５）を、
ｃｗ１（連結具１０１の連結部１２１の幅寸法）＜ｗ１              ……（５）
とし、かつ、上記条件（３）を、
ｃｗ３（連結具１０１の基部１１１の幅寸法）＜ｗ３                ……（３）
とした。上記条件（１）（２）（４）（６）については図３〜図７に示す実施の形態と変更がない。
したがって導入工程及び定置工程においては、構造材１１の連結面Ａに形成されている溝３１に連結具１０１を挿入したとしても、連結部１２１は連結面Ａと同一面内に位置付けられず、連結面Ａよりも奥に引っ込む。それが連結工程で別の部材を連結部１２１に連結すると、連結部１２１は連結面Ａと同一面内に位置付けられ、構造材１１と別の部材との間の連結状態を確実で強固なものにすることができる。
ただし本例では、溝３１に挿入した連結具１０１が保持されず、構造材１１を傾けると連結具１０１が脱落してしまう。そこで連結工程では、定置工程で定めた連結具１０１の位置を維持したまま、その連結部１２１に別の部材を連結する必要がある。
もっともそのような弱点とのトレードオフで、連結具１０１における基部１１１の幅寸法ｃｗ３及び連結部１２１の幅寸法ｃｗ１に高い精度が要求されない。したがって連結具１０１を簡単かつ安価に製造することができる。
【００４７】
（ｅ）変形例５
図１２に変形例５を示す。
本例は、連結具１０１の連結部１２１の幅寸法ｃｗ１を構造材１１に形成した溝３１の間口３２の幅寸法ｗ１よりも小さくし、かつ、連結具１０１において連結部１２１を基部１１１から突出させず、基部１１１と連結部１２１との高さを同じ高さに揃えた例である。よって連結具１０１は、完全に平板形状に形成されている。
そこで上記条件（６）は成立せず、あえて言うなら、
ｃｔ１（連結具１０１の連結部１２１の高さ寸法）＝０
ｃｔ１＜ｔ１                                                    ……（６）
となる。また上記条件（３）については、
ｃｗ３（連結具１０１の基部１１１の幅寸法）＜ｗ３                ……（３）
としている。上記条件（１）（２）（４）（５）については図３〜図７に示す実施の形態と変更がない。
したがって本例では、連結具１０１の連結部１２１は構造材１１に形成した溝３１の間口３２から外部に露出はするが、連結面Ａとの間に突条３３の厚み寸法ｔ１分の距離を開ける。この状態で別の部材との連結を果たすわけである。このため構造材１１と別の部材との間の連結状態の強度という面では一歩譲ることが否めない。
また溝３１に挿入した連結具１０１が保持されず、構造材１１を傾けると連結具１０１が脱落してしまう。そこで連結工程では、定置工程で定めた連結具１０１の位置を維持したまま、その連結部１２１に別の部材を連結する必要がある。
もっともこれらの弱点とのトレードオフで、連結具１０１を簡単かつ安価に製造することができる。
【００４８】
（ｆ）その他の変形例
本実施の形態では、構造材１１が有する四面のうち一面のみを連結面Ａとし、この連結面Ａに連結具１０１を装着した一例を示した。これに対して実施に際しては、構造材１１が有する四面のうち二以上の面を連結面Ａとし、これらの連結面Ａに連結具１０１を装着するようにしてもよい。
また連結具付き構造材２０１となる構造材１１は断面正四角柱である必要はなく、三角柱、五面以上の多角柱であってもよい。
また連結具１０１に設けた連結部１２１には、ねじ孔１２２に限らず別の連結構造を形成するようにしてもよい。例えばドリリング加工によってねじ切りなしの孔を形成するようにしてもよく、フックを形成するようにしてもよい。
その他、あらゆる変形や変更が許容される。
【００４９】
（５）フレーム構造体
連結具１０１を装着した連結具付き構造材２０１（図６参照）を用いて形成したフレーム構造体３０１の一例を説明する。本実施の形態では、連結具付き構造材２０１を含む十二本の構造材１１をコネクタ３０２で連結してフレーム構造体３０１を形成する。
【００５０】
図１３に示すように、コネクタ３０２は互いに直交する三面をなす取付片３０２ａを備え、個々の取付片３０２ａに取付孔３０２ｂを形成している。
【００５１】
図１４に示すように、コネクタ３０２はＬ字形状の板金３０３を材料とし、これを折り曲げることによって形成される。この板金３０３は、取付片３０２ａとなる三つの正方形の部分に予め取付孔３０２ｂを形成しており、図１４中の破線で示す位置で直角に折り曲げ加工される。そしてＬ字形の内角をなす二辺３０３ａと３０３ｂとを溶接によって接合することで、コネクタ３０２が完成する。
【００５２】
図１５は、フレーム構造体３０１の一例を示す斜視図である。錯綜を避けるため、構造材１１（「フレーム構造体」の項では、以下、構造材１１又は連結具付き構造材２０１を意味する）はその外形形状のみを示しており、溝３１や溝３１に嵌合する連結具１０１は省略している。
図１５に示すように、連結具付き構造材２０１を含む十二本の構造材１１が八個のコネクタ３０２によって連結されてフレーム構造体３０１が形成されている。コネクタ３０２と構造材１１との連結は、コネクタ３０２に設けた取付孔３０２ｂに挿入したボルトＢを構造材１１に設けたねじ孔２１に螺合させ、締めつけることによって果たされる。一つのコネクタ３０２には三個の取付孔３０２ｂが設けられているので、一つのコネクタ３０２に対して三本の構造材１１が連結されることになる。
【００５３】
したがって水平面内に配置される四本の構造材１１が四つのコネクタ３０２で連結されて四角形の枠体が上下一つずつ形成され、これらの上下二つの枠体を水平面内に配置される四本の構造材１１がコネクタ３０２に連結されて支持する形態のフレーム構造体３０１が形成される。
【００５４】
フレーム構造体３０１は、図１５に例示するもののみならず、他の形態のものも実施可能である。
例えば図１５に例示するフレーム構造体３０１を構成する一対のフレーム構造体３０１に別の構造材１１を掛け渡してビームとすることが可能である。この場合、連結具１０１を利用してフレーム構造体３０１同士を連結することができる。
また個々の構造材１１を連結する役目を果たすコネクタ３０２は一例を示すに過ぎず、他の構造のコネクタを用いてもよいことは言うまでもない。この場合、連結具１０１を利用して構造材１１同士を連結するようにしてもよい。
コネクタ３０２やその類似物を利用した連結構造と連結具１０１を利用した連結構造とを様々に組み合わせることで、フレーム構造体３０１には数多くのバリエーションが生まれる。
【００５５】
２．販売仲介装置、販売仲介方法、並びにコンピュータプログラム
（１）電気通信回線を用いたネットワーク通信網
図１６に示すように、本実施の形態は、電気通信回線を用いたネットワーク通信網５０１、つまりインターネット通信網を利用し、販売仲介用のコンピュータプログラムＰ１（図１７参照）をインストールしたＷＥＢサーバ６０１を販売仲介装置として販売仲介処理を実行する。
ＷＥＢサーバ６０１による販売仲介処理は、共に情報処理端末としてのパーソナルコンピュータ７０１（以下、パソコン７０１と略称する）である購入者端末７０１ａと販売者端末７０１ｂとの間で行われる取引を仲介する。
【００５６】
販売仲介の対象となる商品は、上記の連結具１０１、連結具付き構造材２０１、及びフレーム構造体３０１である。
購入者端末７０１ａはこれらの商品を購入する購入者が使用するパソコン７０１であり、販売者端末７０１ｂはそれらの商品を販売する販売者が使用するパソコン７０１である。購入者端末７０１ａ及び販売者端末７０１ｂはブラウザ、つまり閲覧用ソフトウェアＰ２（図７参照）をインストールしており、ＷＥＢサーバ６０１が提供するデータを閲覧したり、ＷＥＢサーバ６０１との間でデータの送受信をしたりすることが可能である。
【００５７】
ＷＥＢサーバ６０１は記憶装置６０２を接続しており、この記憶装置６０２を注文情報のデータを記憶する記憶部として用いている。つまりＷＥＢサーバ６０１は、購入者端末７０１ａで入力された注文情報のデータを記憶装置６０２に記憶保存して登録し、登録した注文情報のデータを販売者端末７０１ｂに提供する。こうしてＷＥＢサーバ６０１は販売の仲介を実行するわけである。
【００５８】
（２）販売仲介装置（ＷＥＢサーバ）のハードウェア構成
図１７に示すように、ＷＥＢサーバ６０１の中核をなすのは情報処理を実行する情報処理部６１１である。
情報処理部６１１は、各種演算処理を実行するＣＰＵ６１２を主体として、このＣＰＵ６１２に入出力回路６１３を介して接続するＲＯＭ６１４、ＮＶＲＡＭ６１５、及びＲＡＭ６１６によって構成されている。
ＲＯＭ６１４はデータを固定的に記憶保存するいわゆるマスクＲＯＭである。将来的に変更を要しないデータがＲＯＭ６１４に格納されている。
ＮＶＲＡＭ６１５は不揮発性のメモリで、固定的に記憶させておきたいが変更を要するデータ、例えばＢＩＯＳなどがＮＶＲＡＭ６１５に記憶保存されている。
ＲＡＭ６１６はデータを可変的に記憶するいわゆるＳＲＡＭ及びＤＲＡＭである。後述するＨＤＤ６２１にインストールされている販売仲介用のコンピュータプログラムＰ１をはじめとする各種のコンピュータプログラムの全部又は一部を一時的に記憶したり、そのコンピュータプログラムの実行に際してワークエリアとして用いられたりする。
【００５９】
前述したＨＤＤ６２１はデータを記憶保存する格納庫であり、ＯＳや販売仲介用のコンピュータプログラムＰ１をはじめとする各種のコンピュータプログラムなどを記憶保存している。
ＨＤＤ６２１も入出力回路６１３を介してＣＰＵ６１２に接続されている。
【００６０】
入出力回路６１３を介してＣＰＵ６１２に接続するデバイスとしてＷＥＢサーバ６０１は、キーボード６３１、マウスなどのポインティングデバイス６３２、ディスプレイ６４１、インターフェース６５１、及びネットワークインターフェース６５２を備えている。
ＷＥＢサーバ６０１はネットワークインターフェース６５２を介してネットワーク通信網５０１に接続し、パソコン７０１などの外部機器と情報の送受信を実行する。
【００６１】
（３）情報処理端末（購入者端末及び販売者端末）のハードウェア構成
図１８に示すように、パソコン７０１の中核をなすのは情報処理を実行する情報処理部７１１である。
情報処理部７１１は、各種演算処理を実行するＣＰＵ７１２を主体として、このＣＰＵ７１２に入出力回路７１３を介して接続するＲＯＭ７１４、ＮＶＲＡＭ７１５、及びＲＡＭ７１６によって構成されている。
ＲＯＭ７１４はデータを固定的に記憶保存するいわゆるマスクＲＯＭである。将来的に変更を要しないデータがＲＯＭ７１４に格納されている。
ＮＶＲＡＭ７１５は不揮発性のメモリで、固定的に記憶させておきたいが変更を要するデータ、例えばＢＩＯＳなどがＮＶＲＡＭ７１５に記憶保存されている。
ＲＡＭ７１６はデータを可変的に記憶するいわゆるＳＲＡＭ及びＤＲＡＭである。後述するＨＤＤ７２１にインストールされている閲覧用ソフトウェアＰ２をはじめとする各種のコンピュータプログラムの全部又は一部を一時的に記憶したり、そのコンピュータプログラムの実行に際してワークエリアとして用いられたりする。
【００６２】
前述したＨＤＤ７２１はデータを記憶保存する格納庫であり、ＯＳや閲覧用ソフトウェアＰ２をはじめとする各種のコンピュータプログラムなどを記憶保存している。
ＨＤＤ７２１も入出力回路７１３を介してＣＰＵ７１２に接続されている。
【００６３】
入出力回路７１３を介してＣＰＵ７１２に接続するデバイスとしてパソコン７０１は、キーボード７３１、マウスなどのポインティングデバイス７３２、ディスプレイ７４１、ＣＤやＤＶＤドライブなどの光ドライブ７５１、インターフェース７６１、及びネットワークインターフェース７６２を備えている。
パソコン７０１はネットワークインターフェース７６２を介してネットワーク通信網５０１に接続し、ＷＥＢサーバ６０１などの外部機器と情報の送受信を実行する。
【００６４】
（４）販売仲介処理及び方法
【００６５】
ＷＥＢサーバ６０１は、閲覧用ソフトウェアＰ２をインストールするパソコン７０１、つまり購入者端末７０１ａ及び販売者端末７０１ｂによって閲覧可能な販売仲介用のサイトを用意している。
販売仲介用のコンピュータプログラムＰ１は販売仲介用のサイトに設けられ、このサイトにアクセスしてきたパソコン７０１からの操作に応じて、ＷＥＢサーバ６０１のＣＰＵ６１２に販売仲介処理及び方法を実行させる。
【００６６】
販売仲介用のサイトを閲覧するパソコン７０１は、ＷＥＢサーバ６０１による販売仲介処理及び方法の実行に伴い、閲覧用ソフトウェアＰ２によって各種の画面をディスプレイ７４１に表示していく。図２０〜図２６、図２８、及び図２９に例示する購入対象選択画面８０１、選択サブ画面８０２、第１の情報入力画面８１１、第２の情報入力画面８３１、注文確定画面８５１、及び注文確認画面８７１である。
これらの各画面８０１、８０２、８１１、８３１、８５１、８７１は、共通する画面フレームの構成として、最上位位置にタイトルバー領域Ａ、中央位置にコンテンツ領域Ｂ、そして最下位位置にオペレーション領域Ｃを備えている。
【００６７】
タイトルバー領域Ａは、個々の画面のタイトルＡ１と簡単な説明Ａ２とを表示する。
コンテンツ領域Ｂは、個々の画面の内容を表示する。
オペレーション領域Ｃは、操作可能なボタン類を表示する。
画面遷移例を示す図２０〜図２２、図２４では、図面内容の錯綜を避けるため、最初の画面にのみＣ１、Ｃ２、Ｃ３、及びＣ４を指し示す。
【００６８】
オペレーション領域Ｃに表示されるボタンのうち、購入対象選択画面８０１、選択サブ画面８０２、第１の情報入力画面８１１、及び第２の情報入力画面８３１に表示されるのは、ヘルプボタンＣ１、次ボタンＣ２、戻るボタンＣ３、及びキャンセルボタンＣ４の四種類である。ヘルプボタンＣ１は操作方法の詳細を表示するためのボタン、次ボタンＣ２は次の画面への遷移を指示するためのボタン、戻るボタンＣ３は前の画面への遷移を指示するためのボタン、そしてキャンセルボタンＣ４は現在の作業のキャンセルを宣言するためのボタンである。
【００６９】
注文確定画面８５１にも購入対象選択画面８０１などと同様のボタンが表示されるが、次ボタンＣ２は表示されない。
【００７０】
オペレーション領域Ｃに表示されるボタンのうち、注文確認画面８７１にはヘルプボタンＣ１の他に、購入者ボタンＣ５、決済情報ボタンＣ６、及び印刷ボタンＣ７が表示される。購入者ボタンＣ５は購入者の住所などの個人情報の表示を指示するためのボタン、決済情報ボタンＣ６は購入者の決済情報の表示を指示するためのボタン、そして印刷ボタンＣ７は注文情報の印刷を指示するためのボタンである。
【００７１】
パソコン７０１（購入者端末７０１ａ、販売者端末７０１ｂ）で閲覧可能な各画面８０１、８０２、８１１、８３１、８５１、８７１には、コンテンツ領域Ｂ及びオペレーション領域Ｃに操作可能なオブジェクトが出現する。
例えばオペレーション領域Ｃに表示されるヘルプボタンＣ１、次ボタンＣ２、戻るボタンＣ３、キャンセルボタンＣ４、購入者ボタンＣ５、決済情報ボタンＣ６、及び印刷ボタンＣ７は、すべてパソコン７０１のキーボード７３１とポインティングデバイス７３２とによって操作可能である。
これらの操作可能なオブジェクトが操作された場合、パソコン７０１にインストールされている閲覧用ソフトウェアＰ２は、操作に応じたデータをＷＥＢサーバ６０１に送信する。これによってＷＥＢサーバ６０１のＣＰＵ６１２は、パソコン７０１においてどのような操作がなされたのかを認識することができる。
【００７２】
（４−１）販売仲介処理及び方法（その一）
図１９〜図２６に基づいて、販売仲介処理及び方法（その一）について説明する。
販売仲介処理及び方法（その一）は、販売仲介用のコンピュータプログラムＰ１がＷＥＢサーバ６０１のＣＰＵ６１２に実行させる購入者端末７０１ａとの間の処理及び方法である。
図１９は、そのような販売仲介処理及び方法の流れを示すフローチャートである。
図２０〜図２６は、閲覧用ソフトウェアＰ２が購入者端末７０１ａのＣＰＵ７１２に実行させることによってディスプレイ７４１に表示される画面の状態遷移を示す模式図である。
【００７３】
図１９に示すように、ＷＥＢサーバ６０１のＣＰＵ６１２は、販売仲介用のサイトにアクセスし、このサイト上で商品、つまり連結具１０１、連結具付き構造材２０１、又はフレーム構造体３０１の購入を指示する購入者端末７０１ａに向けて、購入対象選択画面８０１のデータを送信する（ステップＳ１０１）。
【００７４】
すると図２０に示すように、購入者端末７０１ａでは閲覧用ソフトウェアＰ２が受信したデータを解析し、購入対象選択画面８０１をディスプレイ７４１に表示させる。
【００７５】
購入対象選択画面８０１は、「連結具のみ」「連結具＋構造材」「フレーム構造体」のテキスト表示に対応させてラジオボックス８０１ａ１、８０１ａ２、８０１ａ３を出現させ、購入対象が連結具１０１だけなのか、連結具付き構造材２０１なのか、それともフレーム構造体３０１なのかを択一的に選択させる。
所望の選択肢に対応するラジオボックス８０１ａ１、８０１ａ２、８０１ａ３にマーキングをし、次ボタンＣ２をクリックすることで、購入対象が選択される。
【００７６】
もっとも図２１に示すように、フレーム構造体３０１の購入が選択された場合、構造材１１を購入しないという選択肢が用意される。
つまり購入対象選択画面８０１でフレーム構造体３０１の購入が選択されると、「構造材を購入しない」のテキスト表示に対応させてラジオボックス８０１ａ４が出現する。そこでラジオボックス８０１ａ４にマーキングをし、次ボタンＣ２をクリックすると、構造材１１不要のフレーム構造体３０１の購入を選択することができる。
【００７７】
図１９に示すフローチャートの説明に戻る。
連結具１０１、連結具付き構造材２０１、フレーム構造体３０１、及びフレーム構造体３０１（構造材１１なし）のうちからいずれか一つの購入対象が選択されると（ステップＳ１０２のＹＥＳ）、ＷＥＢサーバ６０１のＣＰＵ６１２は選択された商品を特定するデータをＲＡＭ６１６に一時記憶する（ステップＳ１０３）。
そしてＣＰＵ６１２は、購入対象が含む連結具１０１の基部１１１の幅と長さとを決定付ける構造材１１の属性情報を入力させる第１の情報入力画面８１１のデータを購入者端末７０１ａに送信する（ステップＳ１０４）。
【００７８】
ここで、購入者端末７０１ａがディスプレイ７４１に表示する第１の情報入力画面８１１（図２０、図２１、図２４参照）、その後に続いて表示される第２の情報入力画面８３１（図２２、図２５参照）と注文確定画面８５１（図２３、図２６）との画面レイアウトは、
・連結具１０１又は連結具付き構造材２０１が選択された場合（選択肢１）
・フレーム構造体３０１が選択された場合（選択肢２）
でそれぞれ相違する。
また選択肢１が選択された場合と選択肢２が選択された場合とでは、購入者端末７０１ａによる注文確定画面８５１上での操作に応じた処理内容に違い発生する。
そこで以下、場合分けして説明する。
【００７９】
（ａ）連結具又は連結具付き構造材が選択された場合
図２０に第１の情報入力画面８１１（８１１Ａ〜８１１Ｃ）、図２２に第２の情報入力画面８３１（８３１Ａ、８３１Ｂ、８３１Ｃ、８３１Ｄ、８３１Ｄａ、８３１Ｄｂ、８３１Ｅ、８３１Ｅａ）、そして図２３に注文確定画面８５１を表示する。
【００８０】
（ａ−１）第１の情報入力画面８１１Ａ
図２０に示すように、購入対象選択画面８０１で連結具１０１又は連結具付き構造材２０１を選択した購入者端末７０１ａは、ＷＥＢサーバ６０１から送信されてきた第１の情報入力画面８１１のデータを閲覧用ソフトウェアＰ２で解析し、受信したデータに基づく第１の情報入力画面８１１Ａをディスプレイ７４１に表示する。
【００８１】
第１の情報入力画面８１１Ａは、構造材１１のメーカーが決まっているかどうかの選択肢を提供する。「決まっている」「決まっていない」のテキストに対応付けて表示されるラジオボックス８１１ａ１、８１１ａ２のうち、いずれか一方をマーキングし、次ボタンＣ２をクリックすると、構造材１１のメーカーが決まっている場合と決まっていない場合とを択一的に選択することができる。
【００８２】
（ａ−２）第１の情報入力画面８１１Ｂ
第１の情報入力画面８１１Ａは、構造材１１のメーカーが決まっている方が選択された場合、第１の情報入力画面８１１Ｂに状態遷移する。
【００８３】
第１の情報入力画面８１１Ｂは、プルダウンメニューからメーカー名を指定するメーカー指定欄８１１ｂ１と、プルダウンメニューから型番号を指定する型番号指定欄８１１ｂ２と、置数によって長さを指定する長さ指定欄８１１ｂ３とを用意している。これらの各欄８１１ｂ１、８１１ｂ２、８１１ｂ３は、構造材１１のメーカー名と型番号と長さとを指定し、これによって連結具１０１の基部１１１の幅と長さとを決定付けるためのオブジェクトである。
【００８４】
（ａ−３）第１の情報入力画面８１１Ｃ
第１の情報入力画面８１１Ａは、構造材１１のメーカーが決まっていない方が選択された場合、第１の情報入力画面８１１Ｃに状態遷移する。
【００８５】
第１の情報入力画面８１１Ｃは、構造材１１の幅を指定する幅指定欄８１１ｃ１と、奥行を指定する奥行指定欄８１１ｃ２と、長さを指定する長さ指定欄８１１ｃ３とを用意している。これらの各欄８１１ｃ１、８１１ｃ２、８１１ｃ３は、構造材１１の幅と奥行と長さとを置数によって指定し、これによって連結具１０１の基部１１１の幅と長さとを決定付けるためのオブジェクトである。
なお構造材１１の幅と奥行は、構造材１１の太さを特定する。
【００８６】
図１９に示すフローチャートの説明に戻る。
第１の情報入力画面８１１（８１１Ｂ、８１１Ｃ）にて、購入対象が含む連結具１０１の基部１１１の幅と長さとを決定付ける構造材１１の属性情報の入力が完了すると（ステップＳ１０５のＹＥＳ）、ＷＥＢサーバ６０１のＣＰＵ６１２は入力された情報のデータをＲＡＭ６１６に一時記憶する（ステップＳ１０６）。
そしてＣＰＵ６１２は、購入対象が含む連結具１０１に形成する連結部１２１の種類と位置と数量とを特定する連結部特定情報を入力させる第２の情報入力画面８３１のデータを購入者端末７０１ａに送信する（ステップＳ１０７）。
【００８７】
（ａ−４）第２の情報入力画面８３１Ａ
図２２に示すように、第２の情報入力画面８３１のデータを受信した購入者端末７０１ａは、閲覧用ソフトウェアＰ２がデータを解析し、受信したデータに基づく第２の情報入力画面８３１Ａをディスプレイ７４１に表示する。
【００８８】
第２の情報入力画面８３１Ａは、「単一」「同種等間隔」「同種不等間隔」「異種等間隔」「異種不等間隔」のテキスト表示に対応付けて表示されるラジオボックス８３１ａ１、８３１ａ２、８３１ａ３、８３１ａ４、８３１ａ５と、プルダウンメニューから数量を指定する数量指定欄８３１ａ６とを提供する。
【００８９】
ラジオボックス８３１ａ１で選択される「単一」は、連結具１０１に一つの連結部１２１のみを形成することを指定するオブジェクトである。
ラジオボックス８３１ａ２で選択される「同種等間隔」は、連結具１０１に同一種類の連結部１２１を等間隔で形成することを指定するオブジェクトである。
ラジオボックス８３１ａ３で選択される「同種不等間隔」は、連結具１０１に同一種類の連結部１２１を不等間隔で形成することを指定するオブジェクトである。
ラジオボックス８３１ａ４で選択される「異種等間隔」は、連結具１０１に異なる種類の連結部１２１を等間隔で形成することを指定するオブジェクトである。
ラジオボックス８３１ａ５で選択される「異種不等間隔」は、連結具１０１に異なる種類の連結部１２１を不等間隔で形成することを指定するオブジェクトである。
そして数量指定欄８３１ａ６は、「単一」を選択するラジオボックス８３１ａ１以外のオブジェクトが選択された場合に出現し、連結具１０１に形成する連結部１２１の数量を指定するオブジェクトである。
【００９０】
第２の情報入力画面８３１Ａは、ラジオボックス８３１ａ１、８３１ａ２、８３１ａ３、８３１ａ４、及び８３１ａ５のうちのいずれか一つをマーキングし、必要に応じて数量指定欄８３１ａ６で数量を指定し、次ボタンＣ２をクリックすることで、連結具１０１に形成する連結部１２１に関する基礎的な情報を指定することができる。
【００９１】
（ａ−５）第２の情報入力画面８３１Ｂ
ラジオボックス８３１ａ１のマーキングによって「単一」が選択された場合、次ボタンＣ２がクリックされると、第２の情報入力画面８３１Ａから第２の情報入力画面８３１Ｂに状態遷移する。
【００９２】
第２の情報入力画面８３１Ｂは、プルダウンメニューから種類を指定する種類指定欄８３１ｂ１と、置数によって寸法を指定する寸法指定欄８３１ｂ２とを提供する。
種類指定欄８３１ｂ１は、連結具１０１に形成する連結部１２１の種類を指定するオブジェクトである。
寸法指定欄８３１ｂ２は、連結具１０１の端部から連結部１２１までの距離寸法を指定するオブジェクトである。
【００９３】
種類指定欄８３１ｂ１によって連結部１２１の種類を指定し、寸法指定欄８３１ｂ２によって連結部１２１の位置を指定し、次ボタンＣ２をクリックすることで、連結部特定情報の入力が完了する。
【００９４】
（ａ−６）第２の情報入力画面８３１Ｃ
ラジオボックス８３１ａ２のマーキングによって「同種等間隔」が選択された場合、次ボタンＣ２がクリックされると、第２の情報入力画面８３１Ａから第２の情報入力画面８３１Ｃに状態遷移する。
【００９５】
第２の情報入力画面８３１Ｃは、プルダウンメニューから種類を指定する種類指定欄８３１ｃ１と、置数によって寸法を指定する寸法指定欄８３１ｃ２と、置数によってピッチを指定するピッチ指定欄８３１ｃ３とを提供する。
種類指定欄８３１ｃ１は、連結具１０１に形成する連結部１２１の種類を指定するオブジェクトである。
寸法指定欄８３１ｃ２は、連結具１０１の端部から直近に位置する連結部１２１までの距離寸法を指定するオブジェクトである。
ピッチ指定欄８３１ｃ３は、個々の連結部１２１の配列ピッチを指定するオブジェクトである。
【００９６】
種類指定欄８３１ｃ１によって連結部１２１の種類を指定し、寸法指定欄８３１ｃ２によって連結具１０１の端部から直近に位置する連結部１２１までの位置を指定し、ピッチ指定欄８３１ｃ３によって個々の連結部１２１の配列ピッチを指定し、次ボタンＣ２をクリックすることで、連結部特定情報の入力が完了する。
【００９７】
（ａ−７）第２の情報入力画面８３１Ｄ
ラジオボックス８３１ａ３のマーキングによって「同種不等間隔」又は「異種不等間隔」が選択された場合、次ボタンＣ２がクリックされると、第２の情報入力画面８３１Ａから第２の情報入力画面８３１Ｄに状態遷移する。
【００９８】
第２の情報入力画面８３１Ｄは、プルダウンメニューから種類を指定する種類指定欄８３１ｄ１と、置数によって寸法を指定する寸法指定欄８３１ｄ２とを提供する。
種類指定欄８３１ｄ１は、連結具１０１に形成する連結部１２１の種類を指定するオブジェクトである。
寸法指定欄８３１ｄ２は、連結具１０１の端部から直近に位置する連結部１２１までの距離寸法を指定するオブジェクトである。
【００９９】
（ａ−８）第２の情報入力画面８３１Ｄａ
第２の情報入力画面８３１Ａで「同種不等間隔」が選択された場合、種類指定欄８３１ｄ１によって連結部１２１の種類が指定され、寸法指定欄８３１ｄ２によって連結具１０１の端部から直近に位置する連結部１２１までの位置が指定され、次ボタンＣ２がクリックされると、第２の情報入力画面８３１Ｄから第２の情報入力画面８３１Ｄａに状態遷移する。
【０１００】
第２の情報入力画面８３１Ｄａは、置数によってピッチ寸法を指定するピッチ指定欄８３１ｄａ１と、入力完了インジケータ８３１ｄａ２とを表示する。
ピッチ指定欄８３１ｄａ１は、直前に連結部特定情報を入力した連結部１２１に隣接する連結部１２１について、直前に連結部特定情報を入力した連結部１２１との間の配列ピッチの寸法を指定するオブジェクトである。
入力完了インジケータ８３１ｄａ２は、第２の情報入力画面８３１Ａの数量指定欄８３１ａ６で指定された連結具１０１に形成すべき連結部１２１の個数を示すオブジェクトである。第２の情報入力画面８３１Ｄａは、四個の連結部１２１の形成が指定された一例を示している。
このオブジェクトは、連結部特定情報を既に入力した連結部１２１を指し示す数値の表示態様を変化させ、連結部特定情報を現在入力中の連結部１２１がどれなのかを操作者に示す役割を担っている。例えば、連結部特定情報を直前に入力した連結部１２１が一つ目であれば「１」の数字の表示態様を変化させ、これから二つ目の連結部１２１の配列ピッチを入力すべきことを操作者に示す。
【０１０１】
第２の情報入力画面８３１Ｄａで連結部１２１のピッチが指定され、次ボタンＣ２がクリックされると、入力完了インジケータ８３１ｄａ２の数値が一つインクリメントされ、次の連結部１２１について連結部特定情報を入力すべきことが示される。
そして最後の連結部１２１についてピッチを指定し、次ボタンＣ２をクリックすると、連結部特定情報の入力が完了する。
【０１０２】
（ａ−９）第２の情報入力画面８３１Ｄｂ
第２の情報入力画面８３１Ａで「異種不等間隔」が選択された場合、種類指定欄８３１ｄ１によって連結部１２１の種類が指定され、寸法指定欄８３１ｄ２によって連結具１０１の端部から直近に位置する連結部１２１までの位置が指定され、次ボタンＣ２がクリックされると、第２の情報入力画面８３１Ｄから第２の情報入力画面８３１Ｄｂに状態遷移する。
【０１０３】
第２の情報入力画面８３１Ｄｂは、プルダウンメニューから種類を指定する種類指定欄８３１ｄｂ１と、置数によってピッチ寸法を指定するピッチ指定欄８３１ｄｂ２と、入力完了インジケータ８３１ｄｂ３とを表示する。
種類指定欄８３１ｄｂ１は、直前に連結部特定情報を入力した連結部１２１に隣接する連結部１２１の種類を指定するオブジェクトである。
ピッチ指定欄８３１ｄｂ２は、直前に連結部特定情報を入力した連結部１２１に隣接する連結部１２１について、直前に連結部特定情報を入力した連結部１２１との間の配列ピッチの寸法を指定するオブジェクトである。
入力完了インジケータ８３１ｄｂ３は、第２の情報入力画面８３１Ａの数量指定欄８３１ａ６で指定された連結具１０１に形成すべき連結部１２１の個数を示すオブジェクトである。第２の情報入力画面８３１Ｄｂは、四個の連結部１２１の形成が指定された一例を示している。
このオブジェクトは、連結部特定情報を既に入力した連結部１２１を指し示す数値の表示態様を変化させ、連結部特定情報を現在入力中の連結部１２１がどれなのかを操作者に示す役割を担っている。例えば、連結部特定情報を直前に入力した連結部１２１が一つ目であれば「１」の数字の表示態様を変化させ、これから二つ目の連結部１２１の配列ピッチを入力すべきことを操作者に示す。
【０１０４】
第２の情報入力画面８３１Ｄｂで連結部１２１の種類とピッチとが指定され、次ボタンＣ２がクリックされると、入力完了インジケータ８３１ｄｂ３の数値が一つインクリメントされ、次の連結部１２１について連結部特定情報を入力すべきことが示される。
そして最後の連結部１２１についてピッチを指定し、次ボタンＣ２をクリックすると、連結部特定情報の入力が完了する。
【０１０５】
（ａ−１０）第２の情報入力画面８３１Ｅ
ラジオボックス８３１ａ４のマーキングによって「異種等間隔」が選択された場合、次ボタンＣ２がクリックされると、第２の情報入力画面８３１Ａから第２の情報入力画面８３１Ｅに状態遷移する。
【０１０６】
第２の情報入力画面８３１Ｅは、プルダウンメニューから種類を指定する種類指定欄８３１ｅ１と、置数によって寸法を指定する寸法指定欄８３１ｅ２と、置数によってピッチ寸法を指定するピッチ指定欄８３１ｅ１とを提供する。
種類指定欄８３１ｅ１は、連結具１０１に形成する連結部１２１の種類を指定するオブジェクトである。
寸法指定欄８３１ｅ２は、連結具１０１の端部から直近に位置する連結部１２１までの距離寸法を指定するオブジェクトである。
ピッチ指定欄８３１ｅ３は、個々の連結部１２１の配列ピッチを指定するオブジェクトである。
【０１０７】
（ａ−１１）第２の情報入力画面８３１Ｅａ
種類指定欄８３１ｅ１によって連結部１２１の種類が指定され、寸法指定欄８３１ｅ２によって連結具１０１の端部から直近に位置する連結部１２１までの位置が指定され、ピッチ指定欄８３１ｅ３によって個々の連結部１２１の配列ピッチが指定され、次ボタンＣ２がクリックされると、第２の情報入力画面８３１Ｅから第２の情報入力画面８３１Ｅａに状態遷移する。
【０１０８】
第２の情報入力画面８３１Ｅａは、プルダウンメニューから種類を指定する種類指定欄８３１ｅａ１と、入力完了インジケータ８３１ｅａ２とを表示する。
種類指定欄８３１ｅａ１は、直前に連結部特定情報を入力した連結部１２１に隣接する連結部１２１の種類を指定するオブジェクトである。
入力完了インジケータ８３１ｅａ２は、第２の情報入力画面８３１Ａの数量指定欄８３１ａ６で指定された連結具１０１に形成すべき連結部１２１の個数を示すオブジェクトである。第２の情報入力画面８３１Ｅａは、五個の連結部１２１の形成が指定された一例を示している。
このオブジェクトは、連結部特定情報を既に入力した連結部１２１を指し示す数値の表示態様を変化させ、連結部特定情報を現在入力中の連結部１２１がどれなのかを操作者に示す役割を担っている。例えば、連結部特定情報を直前に入力した連結部１２１が一つ目であれば「１」の数字の表示態様を変化させ、これから二つ目の連結部１２１の配列ピッチを入力すべきことを操作者に示す。
【０１０９】
第２の情報入力画面８３１Ｅａで連結部１２１の種類が指定され、次ボタンＣ２がクリックされると、入力完了インジケータ８３１ｅａ２の数値が一つインクリメントされ、次の連結部１２１について連結部特定情報を入力すべきことが示される。
そして最後の連結部１２１についてピッチを指定し、次ボタンＣ２をクリックすると、連結部特定情報の入力が完了する。
【０１１０】
（ａ−１２）注文確定画面
図１９に示すフローチャートの説明に戻る。
第２の情報入力画面８３１（８３１Ｂ、８３１Ｃ、８３１Ｄａ、８３１Ｄｂ、８３１Ｅａ）にて、購入を望む連結具１０１に形成すべき連結部１２１の種類と位置と数量とを特定する連結部特定情報の入力が完了すると（ステップＳ１０８のＹＥＳ）、ＷＥＢサーバ６０１のＣＰＵ６１２は入力された情報のデータをＲＡＭ６１６に一時記憶する（ステップＳ１０９）。
そしてＣＰＵ６１２は、第１の情報入力画面８１１及び第２の情報入力画面８３１で入力した注文情報を確定させる注文確定画面８５１のデータを購入者端末７０１ａに送信する（ステップＳ１１０）。
【０１１１】
図２３に示すように、注文確定画面８５１は品目表示欄８５１ａ、単価表示欄８５１ｂ、数量入力欄８５１ｃ１、金額表示欄８５１ｄ、合計金額表示欄８５１ｅ、購入続行ボタン８５１ｆ、及び注文確定ボタン８５１ｇを備えている。
【０１１２】
品目表示欄８５１ａは、第１の情報入力画面８１１及び第２の情報入力画面８３１で注文情報を入力した購入予定の商品の品目、つまり連結具１０１か連結具付き構造材２０１かのいずれか一方又は両方を表示するオブジェクトである。
【０１１３】
単価表示欄８５１ｂは、購入品目の単価を表示するオブジェクトである。
【０１１４】
数量入力欄８５１ｃ１は、プルダウンメニューから個々の購入品目の購入個数を選択して入力するオブジェクトである。
【０１１５】
金額表示欄８５１ｄは、単価表示欄８５１ｂに表示される単価に数量入力欄８５１ｃ１で入力された数量を掛け合わせた金額を表示するオブジェクトである。
【０１１６】
合計金額表示欄８５１ｅは、購入予定となっている一又は二以上の購入品目の金額（金額表示欄８５１ｄに表示されている金額）の合計金額を表示するオブジェクトである。
【０１１７】
購入続行ボタン８５１ｆは、購入の続行を宣言するためのオブジェクトである。
購入の続行を宣言し、第１の情報入力画面８１１及び第２の情報入力画面８３１で注文情報を入力していく毎に、品目表示欄８５１ａ、単価表示欄８５１ｂ、数量入力欄８５１ｃ１、及び金額表示欄８５１ｄに表示される購入品目が一行ずつ増える。
【０１１８】
注文確定ボタン８５１ｇは、注文の確定を宣言するためのオブジェクトである。
【０１１９】
ＷＥＢサーバ６０１は、個々の連結具１０１、構造材１１、及び連結具付き構造材２０１について、その属性（メーカー、長さ、太さなど）に応じた金額のリスト（図示せず）を例えばＨＤＤ６２１に格納している。
そこでＷＥＢサーバ６０１のＣＰＵ６１２は、図１９に示すフローチャート中のステップＳ１０３、ステップＳ１０６、及びステップＳ１０９の処理によってＲＡＭ６１６に一時記憶したデータとリスト、これに加えて数量入力欄８５１ｃ１で指定された個数を参照し、品目表示欄８５１ａ、単価表示欄８５１ｂ、金額表示欄８５１ｄ、及び合計金額表示欄８５１ｅに表示すべきデータを生成する。
こうして生成したデータを注文確定画面８５１のデータに伴わせることで、これを受信したパソコン７０１のディスプレイ７４１に、図２３に例示する注文確定画面８５１を表示させることができる。
【０１２０】
図１９に示すフローチャートの説明に戻る。
ＷＥＢサーバ６０１のＣＰＵ６１２は、注文確定画面８５１のデータを送信した後、注文の確定が宣言されたか（ステップＳ１１１）、購入の続行が宣言されたか（ステップＳ１１２）の判定に待機している。
【０１２１】
購入者端末７０１ａにおいて、閲覧中の注文確定画面８５１で購入続行ボタン８５１ｆがクリックされると、閲覧用ソフトウェアＰ２は購入の続行を知らせるデータをＷＥＢサーバ６０１に送信する。これによってＷＥＢサーバ６０１のＣＰＵ６１２は、購入の続行を判定する（ステップＳ１１２のＹＥＳ）。
購入の続行を判定したＣＰＵ６１２は、ステップＳ１０１の処理にリターンし、購入対象選択画面８０１のデータを購入者端末７０１ａに送信する。ただしこの場合には、連結具１０１又は連結具付き構造材２０１の購入選択のみが許容され、フレーム構造体３０１の購入選択は許可されない。
【０１２２】
購入者端末７０１ａにおいて、閲覧中の注文確定画面８５１で注文確定ボタン８５１ｇがクリックされると、閲覧用ソフトウェアＰ２は注文の確定を知らせるデータをＷＥＢサーバ６０１に送信する。これによってＷＥＢサーバ６０１のＣＰＵ６１２は、注文の確定を判定する（ステップＳ１１１のＹＥＳ）。
注文の確定を判定したＣＰＵ６１２は、ステップ１０３、ステップＳ１０６、及びステップＳ１０９でＲＡＭ６１６に一時記憶していた注文データを仮登録し（ステップＳ１１３）、決済処理を実行する（ステップＳ１１４）。この場合の決済処理は、インターネットによるネットワーク通信網５０１を利用した電子商取引において一般に行われる決済処理と異なるところがないので、その説明は省略する。
【０１２３】
決済処理の完了後、ＷＥＢサーバ６０１のＣＰＵ６１２は仮登録していた注文データ及び決済データを本登録する（ステップＳ１１５）。本登録は、取引を特定する情報、例えば注文番号などに対応付けて注文データ及び決済データをＨＤＤ６２１に記憶保存することによって行われる。
【０１２４】
（ｂ）フレーム構造体が選択された場合
図２１に選択サブ画面８０２、図２４に第１の情報入力画面８１１（８１１Ａ〜８１１Ｃ）、図２５に第２の情報入力画面８３１（８３１Ａ、８３１Ｂ、８３１Ｃ、８３１Ｄ、８３１Ｄａ、８３１Ｄｂ、８３１Ｅ、８３１Ｅａ）、そして図２６に注文確定画面８５１を表示する。
【０１２５】
（ｂ−１）選択サブ画面８０２
図２１に示す購入対象選択画面８０１は、フレーム構造体３０１が選択され、構造材１１の購入の有無が選択され、次ボタンＣ２がクリックされると、選択サブ画面８０２に状態遷移する（図２４参照）。
【０１２６】
図２４に示すように、選択サブ画面８０２は、フレーム構造体３０１のモデル例を示すモデル画像ＩＭＧを複数種類表示し、ポインティングデバイス７３２による選択を可能にする画面である。
【０１２７】
（ｂ−２）第１の情報入力画面８１１Ｆ
選択サブ画面８０２で所望のモデル画像ＩＭＧを選択した購入者端末７０１ａは、ＷＥＢサーバ６０１から送信されてきた第１の情報入力画面８１１のデータを閲覧用ソフトウェアＰ２で解析し、受信したデータに基づく第１の情報入力画面８１１Ｆをディスプレイ７４１に表示する。
【０１２８】
第１の情報入力画面８１１Ｆは、選択サブ画面８０２で選択された一つのモデル画像ＩＭＧ、つまりモデル画像ｅＩＭＧを表示し、幅指定欄８１１ｆ１、高さ指定欄８１１ｆ２、及び奥行指定欄８１１ｆ３を提供する。
【０１２９】
モデル画像ｅＩＭＧは、三次元の形態で表示され、フレーム構造体３０１の構成要素である個々の連結具付き構造材２０１（あるいは単なる構造材１１）を明示している。
【０１３０】
幅指定欄８１１ｆ１は、モデル画像ｅＩＭＧによって例示されるフレーム構造体３０１の幅の寸法を、置数によって指定するオブジェクトである。
高さ指定欄８１１ｆ２は、モデル画像ｅＩＭＧによって例示されるフレーム構造体３０１の高さの寸法を、置数によって指定するオブジェクトである。
奥行指定欄８１１ｆ３は、モデル画像ｅＩＭＧによって例示されるフレーム構造体３０１の奥行の寸法を、置数によって指定するオブジェクトである。
【０１３１】
こうしてフレーム構造体３０１の幅と高さと奥行とを指定することで、その三次元寸法を特定することができる。その結果、フレーム構造体３０１を構成する個々の連結具付き構造材２０１（あるいは構造材１１）の長さ寸法も自ずと特定される。
【０１３２】
（ｂ−３）第１の情報入力画面８１１Ａ
第１の情報入力画面８１１Ｆは、幅指定欄８１１ｆ１によって幅が指定され、高さ指定欄８１１ｆ２によって高さが指定され、奥行指定欄８１１ｆ３によって奥行が指定され、次ボタンＣ２がクリックされると、第１の情報入力画面８１１Ａに状態遷移する。
【０１３３】
第１の情報入力画面８１１Ａは、フレーム構造体３０１に用いる構造材１１のメーカーが決まっているかどうかの選択肢を提供する。「決まっている」「決まっていない」のテキストに対応付けて表示されるラジオボックス８１１ａ１、８１１ａ２のうち、いずれか一方をマーキングし、次ボタンＣ２をクリックすると、構造材１１のメーカーが決まっている場合と決まっていない場合とを択一的に選択することができる。
【０１３４】
（ｂ−４）第１の情報入力画面８１１Ｂ
第１の情報入力画面８１１Ａは、構造材１１のメーカーが決まっている方が選択された場合、第１の情報入力画面８１１Ｂに状態遷移する。
【０１３５】
第１の情報入力画面８１１Ｂは、モデル画像ｅＩＭＧを表示し、プルダウンメニューからメーカー名を指定するメーカー指定欄８１１ｂ１と、プルダウンメニューから型番号を指定する型番号指定欄８１１ｂ２とを用意している。
【０１３６】
第１の情報入力画面８１１Ｂはまた、モデル画像ｅＩＭＧ中、一つの連結具付き構造材２０１（あるいは構造材１１）に強調表示ｅＭを付する。この強調表示ｅＭは、現在選択されている連結具付き構造材２０１（あるいは構造材１１）であることを示している。
【０１３７】
メーカー指定欄８１１ｂ１と型番号指定欄８１１ｂ２とは、強調表示ｅＭによって選択されている構造材１１について、そのメーカー名と型番号とを指定するためのオブジェクトである。
その構造材１１に連結具１０１を装着するのであれば、構造材１１のメーカー名と型番号との特定によって、自ずと連結具１０１の基部１１１の幅が決定付けられる。
【０１３８】
（ｂ−５）第１の情報入力画面８１１Ｃ
第１の情報入力画面８１１Ａは、構造材１１のメーカーが決まっていない方が選択された場合、第１の情報入力画面８１１Ｃに状態遷移する。
【０１３９】
第１の情報入力画面８１１Ｃは、モデル画像ｅＩＭＧを表示し、構造材１１の幅を指定する幅指定欄８１１ｃ１と、奥行を指定する奥行指定欄８１１ｃ２とを用意している。
【０１４０】
第１の情報入力画面８１１Ｃはまた、モデル画像ｅＩＭＧ中、一つの連結具付き構造材２０１（あるいは構造材１１）に強調表示ｅＭを付する。この強調表示ｅＭは、現在選択されている連結具付き構造材２０１（あるいは構造材１１）であることを示している。
【０１４１】
幅指定欄８１１ｃ１と奥行指定欄８１１ｃ２とは、強調表示ｅＭによって選択されている構造材１１について、構造材１１の幅と奥行とを置数によって指定するオブジェクトである。
その構造材１１に連結具１０１を装着するのであれば、構造材１１の幅と奥行、つまり太さの特定によって、自ずと連結具１０１の基部１１１の幅が決定付けられる。
【０１４２】
図１９に示すフローチャートの説明に戻る。
第１の情報入力画面８１１（８１１Ｆ、８１１Ｂ、８１１Ｃ）にて、購入対象が含む連結具１０１の基部１１１の幅と長さを決定付ける構造材１１の属性情報の入力が完了すると（ステップＳ１０５のＹＥＳ）、ＷＥＢサーバ６０１のＣＰＵ６１２は入力された情報のデータをＲＡＭ６１６に一時記憶する（ステップＳ１０６）。
そしてＣＰＵ６１２は、購入対象が含む連結具１０１に形成する連結部１２１の種類と位置と数量とを特定する連結部特定情報を入力させる第２の情報入力画面８３１のデータを購入者端末７０１ａに送信する（ステップＳ１０７）。
【０１４３】
（ｂ−６）第２の情報入力画面８３１Ａ
図２５に示すように、第２の情報入力画面８３１のデータを受信した購入者端末７０１ａは、閲覧用ソフトウェアＰ２がデータを解析し、受信したデータに基づく第２の情報入力画面８３１Ａをディスプレイ７４１に表示する。
【０１４４】
第２の情報入力画面８３１Ａは、選択サブ画面８０２で選択された一つのモデル画像ｅＩＭＧを表示し、「単一」「同種等間隔」「同種不等間隔」「異種等間隔」「異種不等間隔」のテキスト表示に対応付けて表示されるラジオボックス８３１ａ１、８３１ａ２、８３１ａ３、８３１ａ４、８３１ａ５と、プルダウンメニューから数量を指定する数量指定欄８３１ａ６とを提供する。
【０１４５】
モデル画像ｅＩＭＧは、三次元の形態で表示され、フレーム構造体３０１の構成要素である個々の連結具付き構造材２０１（あるいは単なる構造材１１）を明示する。
第２の情報入力画面８３１Ａは、モデル画像ｅＩＭＧ中、一つの連結具付き構造材２０１（あるいは構造材１１）に強調表示ｅＭを付する。この強調表示ｅＭは、現在選択されている連結具付き構造材２０１（あるいは構造材１１）であることを示している。
このようなモデル画像ｅＩＭＧの表示は、後述する第２の情報入力画面８３１Ｂ、第２の情報入力画面８３１Ｃ、第２の情報入力画面８３１Ｄ、第２の情報入力画面８３１Ｄａ、第２の情報入力画面８３１Ｄｂ、第２の情報入力画面８３１Ｅ、及び第２の情報入力画面８３１Ｅａにおいても同様である。そこで後述する第２の情報入力画面８３１Ｂ、８３１Ｃ、８３１Ｄ、８３１Ｄａ、８３１Ｄｂ、８３１Ｅ、及び８３１Ｅａの説明項目では、モデル画像ｅＩＭＧについての解説を省略する。
【０１４６】
ラジオボックス８３１ａ１で選択される「単一」は、モデル画像ｅＩＭＧに強調表示ｅＭがなされている構造材１１に装着される連結具１０１に、一つの連結部１２１のみを形成することを指定するオブジェクトである。
ラジオボックス８３１ａ２で選択される「同種等間隔」は、モデル画像ｅＩＭＧに強調表示ｅＭがなされている構造材１１に装着される連結具１０１に、同一種類の連結部１２１を等間隔で形成することを指定するオブジェクトである。
ラジオボックス８３１ａ３で選択される「同種不等間隔」は、モデル画像ｅＩＭＧに強調表示ｅＭがなされている構造材１１に装着される連結具１０１に、同一種類の連結部１２１を不等間隔で形成することを指定するオブジェクトである。
ラジオボックス８３１ａ４で選択される「異種等間隔」は、モデル画像ｅＩＭＧに強調表示ｅＭがなされている構造材１１に装着される連結具１０１に、異なる種類の連結部１２１を等間隔で形成することを指定するオブジェクトである。
ラジオボックス８３１ａ５で選択される「異種不等間隔」は、モデル画像ｅＩＭＧに強調表示ｅＭがなされている構造材１１に装着される連結具１０１に、異なる種類の連結部１２１を不等間隔で形成することを指定するオブジェクトである。
数量指定欄８３１ａ６は、「単一」を選択するラジオボックス８３１ａ１以外のオブジェクトが選択された場合に出現するオブジェクトであり、モデル画像ｅＩＭＧに強調表示ｅＭがなされている構造材１１に装着される連結具１０１に形成する連結部１２１の数量を指定する。
【０１４７】
第２の情報入力画面８３１Ａにおいて、ラジオボックス８３１ａ１、８３１ａ２、８３１ａ３、８３１ａ４、及び８３１ａ５のうちのいずれか一つをマーキングし、必要に応じて数量指定欄８３１ａ６で数量を指定し、次ボタンＣ２をクリックする。
するとモデル画像ｅＩＭＧに強調表示ｅＭがなされている構造材１１に装着される連結具１０１について、連結部１２１に関する基礎的な情報を指定することができる。
【０１４８】
なおモデル画像ｅＩＭＧ中、強調表示ｅＭで選択されている構造材１１に連結具１０１を装着しない場合には、どのラジオボックス８３１ａ１、８３１ａ２、８３１ａ３、８３１ａ４、及び８３１ａ５にもマーキングをせずに次ボタンＣ２をクリックする。
【０１４９】
（ｂ−７）第２の情報入力画面８３１Ｂ
モデル画像ｅＩＭＧに強調表示ｅＭがなされている連結具付き構造材２０１の連結具１０１に形成する連結部１２１について、ラジオボックス８３１ａ１のマーキングによって「単一」が選択された場合、次ボタンＣ２がクリックされると、第２の情報入力画面８３１Ａから第２の情報入力画面８３１Ｂに状態遷移する。
【０１５０】
第２の情報入力画面８３１Ｂは、選択サブ画面８０２で選択された一つのモデル画像ｅＩＭＧを表示し、プルダウンメニューから種類を指定する種類指定欄８３１ｂ１と、置数によって寸法を指定する寸法指定欄８３１ｂ２とを提供する。
種類指定欄８３１ｂ１は、モデル画像ｅＩＭＧに強調表示ｅＭがなされている連結具付き構造材２０１の連結具１０１に形成する連結部１２１の種類を指定するオブジェクトである。
寸法指定欄８３１ｂ２は、モデル画像ｅＩＭＧに強調表示ｅＭがなされている連結具付き構造材２０１の連結具１０１に形成する連結具１０１の端部から連結部１２１までの距離寸法を指定するオブジェクトである。
【０１５１】
種類指定欄８３１ｂ１によって連結部１２１の種類を指定し、寸法指定欄８３１ｂ２によって連結部１２１の位置を指定し、次ボタンＣ２をクリックすることで、モデル画像ｅＩＭＧに強調表示ｅＭがなされている連結具付き構造材２０１について、連結部特定情報の入力が完了する。
そこで次の連結具付き構造材２０１について連結部特定情報を入力させるために、第２の情報入力画面８３１Ｂは第２の情報入力画面８３１Ａに状態遷移する。
あるいはすべての連結具付き構造材２０１について連結部特定情報の入力が完了したならば、ＷＥＢサーバ６０１のＣＰＵ６１２は連結具特定情報の入力を判定する（図１９のステップＳ１０８のＹＥＳ参照）。
【０１５２】
（ｂ−８）第２の情報入力画面８３１Ｃ
モデル画像ｅＩＭＧに強調表示ｅＭがなされている連結具付き構造材２０１の連結具１０１に形成する連結部１２１について、ラジオボックス８３１ａ２のマーキングによって「同種等間隔」が選択された場合、次ボタンＣ２がクリックされると、第２の情報入力画面８３１Ａから第２の情報入力画面８３１Ｃに状態遷移する。
【０１５３】
第２の情報入力画面８３１Ｃは、選択サブ画面８０２で選択された一つのモデル画像ｅＩＭＧを表示し、プルダウンメニューから種類を指定する種類指定欄８３１ｃ１と、置数によって寸法を指定する寸法指定欄８３１ｃ２と、置数によってピッチを指定するピッチ指定欄８３１ｃ３とを提供する。
種類指定欄８３１ｃ１は、モデル画像ｅＩＭＧに強調表示ｅＭがなされている連結具付き構造材２０１の連結具１０１に形成する連結部１２１の種類を指定するオブジェクトである。
寸法指定欄８３１ｃ２は、モデル画像ｅＩＭＧに強調表示ｅＭがなされている連結具付き構造材２０１の連結具１０１の端部から直近に位置する連結部１２１までの距離寸法を指定するオブジェクトである。
ピッチ指定欄８３１ｃ３は、モデル画像ｅＩＭＧに強調表示ｅＭがなされている連結具付き構造材２０１の連結具１０１について、個々の連結部１２１の配列ピッチを指定するオブジェクトである。
【０１５４】
種類指定欄８３１ｃ１によって連結部１２１の種類を指定し、寸法指定欄８３１ｃ２によって連結具１０１の端部から直近に位置する連結部１２１までの位置を指定し、ピッチ指定欄８３１ｃ３によって個々の連結部１２１の配列ピッチを指定し、次ボタンＣ２をクリックすることで、モデル画像ｅＩＭＧに強調表示ｅＭがなされている連結具付き構造材２０１について、連結部特定情報の入力が完了する。
そこで次の連結具付き構造材２０１について連結部特定情報を入力させるために、第２の情報入力画面８３１Ｃは第２の情報入力画面８３１Ａに状態遷移する。
あるいはすべての連結具付き構造材２０１について連結部特定情報の入力が完了したならば、ＷＥＢサーバ６０１のＣＰＵ６１２は連結具特定情報の入力を判定する（図１９のステップＳ１０８のＹＥＳ参照）。
【０１５５】
（ｂ−９）第２の情報入力画面８３１Ｄ
モデル画像ｅＩＭＧに強調表示ｅＭがなされている連結具付き構造材２０１の連結具１０１に形成する連結部１２１について、ラジオボックス８３１ａ３のマーキングによって「同種不等間隔」又は「異種不等間隔」が選択された場合、次ボタンＣ２がクリックされると、第２の情報入力画面８３１Ａから第２の情報入力画面８３１Ｄに状態遷移する。
【０１５６】
第２の情報入力画面８３１Ｄは、選択サブ画面８０２で選択された一つのモデル画像ｅＩＭＧを表示し、プルダウンメニューから種類を指定する種類指定欄８３１ｄ１と、置数によって寸法を指定する寸法指定欄８３１ｄ２とを提供する。
種類指定欄８３１ｄ１は、モデル画像ｅＩＭＧに強調表示ｅＭがなされている連結具付き構造材２０１の連結具１０１に形成する連結部１２１の種類を指定するオブジェクトである。
寸法指定欄８３１ｄ２は、モデル画像ｅＩＭＧに強調表示ｅＭがなされている連結具付き構造材２０１の連結具１０１の端部から直近に位置する連結部１２１までの距離寸法を指定するオブジェクトである。
【０１５７】
（ｂ−１０）第２の情報入力画面８３１Ｄａ
モデル画像ｅＩＭＧに強調表示ｅＭがなされている連結具付き構造材２０１の連結具１０１に形成する連結部１２１について、第２の情報入力画面８３１Ａで「同種不等間隔」が選択された場合、種類指定欄８３１ｄ１によって連結部１２１の種類が指定され、寸法指定欄８３１ｄ２によって連結具１０１の端部から直近に位置する連結部１２１までの位置が指定され、次ボタンＣ２がクリックされると、第２の情報入力画面８３１Ｄから第２の情報入力画面８３１Ｄａに状態遷移する。
【０１５８】
第２の情報入力画面８３１Ｄａは、選択サブ画面８０２で選択された一つのモデル画像ｅＩＭＧを表示し、置数によってピッチ寸法を指定するピッチ指定欄８３１ｄａ１と、入力完了インジケータ８３１ｄａ２とを表示する。
ピッチ指定欄８３１ｄａ１は、直前に連結部特定情報を入力した連結部１２１に隣接する連結部１２１について、直前に連結部特定情報を入力した連結部１２１との間の配列ピッチの寸法を指定するオブジェクトである。
入力完了インジケータ８３１ｄａ２は、第２の情報入力画面８３１Ａの数量指定欄８３１ａ６で指定された連結具１０１に形成すべき連結部１２１の個数を示すオブジェクトである。第２の情報入力画面８３１Ｄａは、四個の連結部１２１の形成が指定された一例を示している。
このオブジェクトは、連結部特定情報を既に入力した連結部１２１を指し示す数値の表示態様を変化させ、連結部特定情報を現在入力中の連結部１２１がどれなのかを操作者に示す役割を担っている。例えば、連結部特定情報を直前に入力した連結部１２１が一つ目であれば「１」の数字の表示態様を変化させ、これから二つ目の連結部１２１の配列ピッチを入力すべきことを操作者に示す。
【０１５９】
第２の情報入力画面８３１Ｄａで連結部１２１のピッチが指定され、次ボタンＣ２がクリックされると、入力完了インジケータ８３１ｄａ２の数値が一つインクリメントされ、次の連結部１２１について連結部特定情報を入力すべきことが示される。
そして最後の連結部１２１についてピッチを指定し、次ボタンＣ２をクリックすると、モデル画像ｅＩＭＧに強調表示ｅＭがなされている連結具付き構造材２０１について、連結部特定情報の入力が完了する。
そこで次の連結具付き構造材２０１について連結部特定情報を入力させるために、第２の情報入力画面８３１Ｄａは第２の情報入力画面８３１Ａに状態遷移する。
あるいはすべての連結具付き構造材２０１について連結部特定情報の入力が完了したならば、ＷＥＢサーバ６０１のＣＰＵ６１２は連結具特定情報の入力を判定する（図１９のステップＳ１０８のＹＥＳ参照）。
【０１６０】
（ｂ−１１）第２の情報入力画面８３１Ｄｂ
モデル画像ｅＩＭＧに強調表示ｅＭがなされている連結具付き構造材２０１の連結具１０１に形成する連結部１２１について、第２の情報入力画面８３１Ａで「異種不等間隔」が選択された場合、種類指定欄８３１ｄ１によって連結部１２１の種類が指定され、寸法指定欄８３１ｄ２によって連結具１０１の端部から直近に位置する連結部１２１までの位置が指定され、次ボタンＣ２がクリックされると、第２の情報入力画面８３１Ｄから第２の情報入力画面８３１Ｄｂに状態遷移する。
【０１６１】
第２の情報入力画面８３１Ｄｂは、選択サブ画面８０２で選択された一つのモデル画像ｅＩＭＧを表示し、プルダウンメニューから種類を指定する種類指定欄８３１ｄｂ１と、置数によってピッチ寸法を指定するピッチ指定欄８３１ｄｂ２と、入力完了インジケータ８３１ｄｂ３とを表示する。
種類指定欄８３１ｄｂ１は、直前に連結部特定情報を入力した連結部１２１に隣接する連結部１２１の種類を指定するオブジェクトである。
ピッチ指定欄８３１ｄｂ２は、直前に連結部特定情報を入力した連結部１２１に隣接する連結部１２１について、直前に連結部特定情報を入力した連結部１２１との間の配列ピッチの寸法を指定するオブジェクトである。
入力完了インジケータ８３１ｄｂ３は、第２の情報入力画面８３１Ａの数量指定欄８３１ａ６で指定された連結具１０１に形成すべき連結部１２１の個数を示すオブジェクトである。第２の情報入力画面８３１Ｄｂは、四個の連結部１２１の形成が指定された一例を示している。
このオブジェクトは、連結部特定情報を既に入力した連結部１２１を指し示す数値の表示態様を変化させ、連結部特定情報を現在入力中の連結部１２１がどれなのかを操作者に示す役割を担っている。例えば、連結部特定情報を直前に入力した連結部１２１が一つ目であれば「１」の数字の表示態様を変化させ、これから二つ目の連結部１２１の配列ピッチを入力すべきことを操作者に示す。
【０１６２】
第２の情報入力画面８３１Ｄｂで連結部１２１の種類とピッチとが指定され、次ボタンＣ２がクリックされると、入力完了インジケータ８３１ｄｂ３の数値が一つインクリメントされ、次の連結部１２１について連結部特定情報を入力すべきことが示される。
そして最後の連結部１２１についてピッチを指定し、次ボタンＣ２をクリックすると、モデル画像ｅＩＭＧに強調表示ｅＭがなされている連結具付き構造材２０１について、連結部特定情報の入力が完了する。
そこで次の連結具付き構造材２０１について連結部特定情報を入力させるために、第２の情報入力画面８３１Ｄｂは第２の情報入力画面８３１Ａに状態遷移する。
あるいはすべての連結具付き構造材２０１について連結部特定情報の入力が完了したならば、ＷＥＢサーバ６０１のＣＰＵ６１２は連結具特定情報の入力を判定する（図１９のステップＳ１０８のＹＥＳ参照）。
【０１６３】
（ｂ−１２）第２の情報入力画面８３１Ｅ
モデル画像ｅＩＭＧに強調表示ｅＭがなされている連結具付き構造材２０１の連結具１０１に形成する連結部１２１について、ラジオボックス８３１ａ４のマーキングによって「異種等間隔」が選択された場合、次ボタンＣ２がクリックされると、第２の情報入力画面８３１Ａから第２の情報入力画面８３１Ｅに状態遷移する。
【０１６４】
第２の情報入力画面８３１Ｅは、選択サブ画面８０２で選択された一つのモデル画像ｅＩＭＧを表示し、プルダウンメニューから種類を指定する種類指定欄８３１ｅ１と、置数によって寸法を指定する寸法指定欄８３１ｅ２と、置数によってピッチ寸法を指定するピッチ指定欄８３１ｅ１とを提供する。
種類指定欄８３１ｅ１は、モデル画像ｅＩＭＧに強調表示ｅＭがなされている連結具付き構造材２０１の連結具１０１に形成する連結部１２１の種類を指定するオブジェクトである。
寸法指定欄８３１ｅ２は、モデル画像ｅＩＭＧに強調表示ｅＭがなされている連結具付き構造材２０１の連結具１０１の端部から直近に位置する連結部１２１までの距離寸法を指定するオブジェクトである。
ピッチ指定欄８３１ｅ３は、モデル画像ｅＩＭＧに強調表示ｅＭがなされている連結具付き構造材２０１の連結具１０１について、個々の連結部１２１の配列ピッチを指定するオブジェクトである。
【０１６５】
（ｂ−１３）第２の情報入力画面８３１Ｅａ
モデル画像ｅＩＭＧに強調表示ｅＭがなされている連結具付き構造材２０１の連結具１０１に形成する連結部１２１について、種類指定欄８３１ｅ１によって連結部１２１の種類が指定され、寸法指定欄８３１ｅ２によって連結具１０１の端部から直近に位置する連結部１２１までの位置が指定され、ピッチ指定欄８３１ｅ３によって個々の連結部１２１の配列ピッチが指定され、次ボタンＣ２がクリックされると、第２の情報入力画面８３１Ｅから第２の情報入力画面８３１Ｅａに状態遷移する。
【０１６６】
第２の情報入力画面８３１Ｅａは、選択サブ画面８０２で選択された一つのモデル画像ｅＩＭＧを表示し、プルダウンメニューから種類を指定する種類指定欄８３１ｅａ１と、入力完了インジケータ８３１ｅａ２とを表示する。
種類指定欄８３１ｅａ１は、直前に連結部特定情報を入力した連結部１２１に隣接する連結部１２１の種類を指定するオブジェクトである。
入力完了インジケータ８３１ｅａ２は、第２の情報入力画面８３１Ａの数量指定欄８３１ａ６で指定された連結具１０１に形成すべき連結部１２１の個数を示すオブジェクトである。第２の情報入力画面８３１Ｅａは、五個の連結部１２１の形成が指定された一例を示している。
このオブジェクトは、連結部特定情報を既に入力した連結部１２１を指し示す数値の表示態様を変化させ、連結部特定情報を現在入力中の連結部１２１がどれなのかを操作者に示す役割を担っている。例えば、連結部特定情報を直前に入力した連結部１２１が一つ目であれば「１」の数字の表示態様を変化させ、これから二つ目の連結部１２１の配列ピッチを入力すべきことを操作者に示す。
【０１６７】
第２の情報入力画面８３１Ｅａで連結部１２１の種類が指定され、次ボタンＣ２がクリックされると、入力完了インジケータ８３１ｅａ２の数値が一つインクリメントされ、次の連結部１２１について連結部特定情報を入力すべきことが示される。
そして最後の連結部１２１についてピッチを指定し、次ボタンＣ２をクリックすると、モデル画像ｅＩＭＧに強調表示ｅＭがなされている連結具付き構造材２０１について、連結部特定情報の入力が完了する。
そこで次の連結具付き構造材２０１について連結部特定情報を入力させるために、第２の情報入力画面８３１Ｅａは第２の情報入力画面８３１Ａに状態遷移する。
あるいはすべての連結具付き構造材２０１について連結部特定情報の入力が完了したならば、ＷＥＢサーバ６０１のＣＰＵ６１２は連結具特定情報の入力を判定する（図１９のステップＳ１０８のＹＥＳ参照）。
【０１６８】
（ｂ−１４）注文確定画面
図１９に示すフローチャートの説明に戻る。
第２の情報入力画面８３１（８３１Ｂ、８３１Ｃ、８３１Ｄａ、８３１Ｄｂ、８３１Ｅａ）にて、購入を望む連結具１０１に形成すべき連結部１２１の種類と位置と数量とを特定する連結部特定情報の入力が完了すると（ステップＳ１０８のＹＥＳ）、ＷＥＢサーバ６０１のＣＰＵ６１２は入力された情報のデータをＲＡＭ６１６に一時記憶する（ステップＳ１０９）。
そしてＣＰＵ６１２は、第１の情報入力画面８１１及び第２の情報入力画面８３１で入力した注文情報を確定させる注文確定画面８５１のデータを購入者端末７０１ａに送信する（ステップＳ１１０）。
【０１６９】
図２６に示すように、注文確定画面８５１は、選択サブ画面８０２で選択された一つのモデル画像ｅＩＭＧを表示し、品目表示欄８５１ａ、単価表示欄８５１ｂ、数量表示欄８５１ｃ２、金額表示欄８５１ｄ、合計金額表示欄８５１ｅ、購入続行ボタン８５１ｆ、及び注文確定ボタン８５１ｇを備えている。
【０１７０】
品目表示欄８５１ａは、購入予定のフレーム構造体３０１の構成要素である、第１の情報入力画面８１１及び第２の情報入力画面８３１で注文情報を入力した連結具付き構造材２０１（あるいは構造材１１）を表示するオブジェクトである。
【０１７１】
単価表示欄８５１ｂは、個々の購入品目の単価を表示するオブジェクトである。
【０１７２】
数量表示欄８５１ｃ２は、購入品目の購入個数を表示するオブジェクトである。
【０１７３】
金額表示欄８５１ｄは、単価表示欄８５１ｂに表示される単価に数量表示欄８５１ｃ２に表示される数量を掛け合わせた金額を表示するオブジェクトである。
【０１７４】
合計金額表示欄８５１ｅは、数量表示欄８５１ｃ２に表示される金額の合計金額、つまり購入予定となっているフレーム構造体３０１の金額を表示するオブジェクトである。
合計金額表示欄８５１ｅには数量入力欄８５１ｅ１が設けられ、プルダウンメニューによってフレーム構造体３０１の購入数量を入力できるようになっている。したがって合計金額表示欄８５１ｅに表示される金額は、「数量表示欄８５１ｃ２に表示される金額の合計金額」×「数量入力欄８５１ｅ１に入力された数量」ということになる。
【０１７５】
購入続行ボタン８５１ｆは、購入の続行を宣言するためのオブジェクトである。
購入の続行を宣言すると、もう一つ別のフレーム構造体３０１の購入が可能となる。
【０１７６】
注文確定ボタン８５１ｇは、注文の確定を宣言するためのオブジェクトである。
【０１７７】
ここで、モデル画像ｅＩＭＧは、ポインティングデバイス７３２を用いることで、構成要素、つまり連結具付き構造材２０１（あるいは構造材１１）を個々に選択可能にしている。構成要素が選択されると、品目表示欄８５１ａ、数量表示欄８５１ｃ２、金額表示欄８５１ｄに表示される対応する連結具付き構造材２０１（あるいは構造材１１）の表示の態様が変化する。表示態様の変化は、例えば文字の色彩、太字表示、点滅表示、アンダーラインなどの手法で行われる。こうして品目表示欄８５１ａ、数量表示欄８５１ｃ２、金額表示欄８５１ｄに表示される連結具付き構造材２０１（あるいは構造材１１）の表示態様を変化させることで、それらの部材がフレーム構造体３０１のどの部分に使われるものなのかを一目瞭然とすることができる。
【０１７８】
ＷＥＢサーバ６０１は、個々の連結具１０１、構造材１１、及び連結具付き構造材２０１について、その属性（メーカー、長さ、太さなど）に応じた金額のリスト（図示せず）を例えばＨＤＤ６２１に格納している。
そこでＷＥＢサーバ６０１のＣＰＵ６１２は、図１９に示すフローチャート中のステップＳ１０３、ステップＳ１０６、及びステップＳ１０９の処理によってＲＡＭ６１６に一時記憶したデータとリストを参照し、品目表示欄８５１ａ、単価表示欄８５１ｂ、数量表示欄８５１ｃ２、金額表示欄８５１ｄ、及び合計金額表示欄８５１ｅに表示すべきデータを生成する。
こうして生成したデータを注文確定画面８５１のデータに伴わせることで、これを受信したパソコン７０１のディスプレイ７４１に、図２６に例示する注文確定画面８５１を表示させることができる。
【０１７９】
図１９に示すフローチャートの説明に戻る。
ＷＥＢサーバ６０１のＣＰＵ６１２は、注文確定画面８５１のデータを送信した後、注文の確定が宣言されたか（ステップＳ１１１）、購入の続行が宣言されたか（ステップＳ１１２）の判定に待機している。
【０１８０】
購入者端末７０１ａにおいて、閲覧中の注文確定画面８５１で購入続行ボタン８５１ｆがクリックされると、閲覧用ソフトウェアＰ２は購入の続行を知らせるデータをＷＥＢサーバ６０１に送信する。これによってＷＥＢサーバ６０１のＣＰＵ６１２は、購入の続行を判定する（ステップＳ１１２のＹＥＳ）。
購入の続行を判定したＣＰＵ６１２は、ステップＳ１０１の処理にリターンし、購入対象選択画面８０１のデータを購入者端末７０１ａに送信する。ただしこの場合には、フレーム構造体３０１の購入選択のみが許容され、連結具１０１又は連結具付き構造材２０１の購入選択は許可されない。
【０１８１】
購入者端末７０１ａにおいて、閲覧中の注文確定画面８５１で注文確定ボタン８５１ｇがクリックされると、閲覧用ソフトウェアＰ２は注文の確定を知らせるデータをＷＥＢサーバ６０１に送信する。これによってＷＥＢサーバ６０１のＣＰＵ６１２は、注文の確定を判定する（ステップＳ１１１のＹＥＳ）。
注文の確定を判定したＣＰＵ６１２は、ステップ１０３、ステップＳ１０６、及びステップＳ１０９でＲＡＭ６１６に一時記憶していた注文データを仮登録し（ステップＳ１１３）、決済処理を実行する（ステップＳ１１４）。この場合の決済処理は、インターネットによるネットワーク通信網５０１を利用した電子商取引において一般に行われる決済処理と異なるところがないので、その説明は省略する。
【０１８２】
決済処理の完了後、ＷＥＢサーバ６０１のＣＰＵ６１２は仮登録していた注文データ及び決済データを本登録する（ステップＳ１１５）。本登録は、取引を特定する情報、例えば注文番号などに対応付けて注文データ及び決済データをＨＤＤ６２１に記憶保存することによって行われる。
【０１８３】
（４−２）販売仲介処理及び方法（その二）
図２７〜図２９に基づいて、販売仲介処理及び方法（その二）について説明する。
販売仲介処理及び方法（その二）は、販売仲介用のコンピュータプログラムＰ１がＷＥＢサーバ６０１のＣＰＵ６１２に実行させる販売者端末７０１ｂとの間の処理及び方法である。
図２７は、そのような販売仲介処理及び方法の流れを示すフローチャートである。
図２８及び図２９は、閲覧用ソフトウェアＰ２が販売者端末７０１ｂのＣＰＵ７１２に実行させることによってディスプレイ７４１に表示される注文確認画面８７１の一例を示す模式図である。
【０１８４】
ＷＥＢサーバ６０１は、注文情報の閲覧及び利用について、例えばＩＤコードとパスワードとによるセキュリティを設定している。
そこで連結具１０１や連結具付き構造材２０１、あるいはフレーム構造体３０１の販売者が使用する販売者端末７０１ｂは、ＩＤコードとパスワードを使い、ＷＥＢサーバ６０１が提供する注文情報の閲覧サイトにアクセスすることになる。
その後販売者端末７０１ｂは、例えば一覧リスト（図示せず）から特定の取引を指定し、この取引の注文情報にアクセスする。
【０１８５】
図２７に示すように、ＷＥＢサーバ６０１のＣＰＵ６１２は、販売者端末７０１ｂから特定の取引の注文情報にアクセスがあったかどうかの判定に待機しており（ステップＳ２０１）、アクセスありを判定すると（ステップＳ２０１のＹＥＳ）、対応する注文情報のデータをＨＤＤ６２１から収集する（ステップＳ２０２）。そして収集した注文データを反映させた販売者用の画面表示データを生成し（ステップＳ２０３）、ネットワーク通信網５０１を介してその画面表示データを販売者端末７０１ｂに送信する（ステップＳ２０４）。
【０１８６】
すると販売者端末７０１ｂでは、受信した画面表示データを閲覧用ソフトウェアＰ２が解析し、その画面表示データに基づく画像をディスプレイ７４１に表示する。こうして表示される画像が、図２８及び図２９に例示する注文確認画面８７１の画像である。
【０１８７】
注文確認画面８７１は、コンテンツ領域Ｂを領域Ｂ１とＢ２との二つに分けている。
コンテンツ領域Ｂ１は注文を受けた商品、つまり連結具１０１（あるいは連結具付き構造材２０１）の詳細を表示する領域である。
コンテンツ領域Ｂ２は、購入者情報及び決済情報を選択的に表示する領域である。
オペレーション領域Ｃに表示されるボタンのうち、購入者ボタンＣ５がクリックされると購入者情報がコンテンツ領域Ｂ２に表示され、決済情報ボタンＣ６がクリックされると決済情報がコンテンツ領域Ｂ２に表示される。
【０１８８】
注文確認画面８７１は、オペレーション領域Ｃに表示される印刷ボタンＣ７がクリックされると、コンテンツ領域Ｂに表示している情報の印刷を図示しないプリンタドライバに指令する。
【０１８９】
（ａ）注文確認画面（連結具、連結具付き構造材が注文された場合）
図２８は、購入対象選択画面８０１で連結具１０１（あるいは連結具付き構造材２０１）が購入対象として選択された場合に販売者端末７０１ｂで閲覧可能な注文確認画面８７１の一例を示す模式図である。
【０１９０】
コンテンツ領域Ｂ２には、注文番号表示欄８７１ｉｄ、品目表示欄８７１ａ、単価表示欄８７１ｂ、数量表示欄８７１ｃ、金額表示欄８７１ｄ、及び合計金額表示欄８７１ｅが用意されている。
【０１９１】
注文番号表示欄８７１ｉｄは、販売者端末７０１ｂが特定した取引を特定するための注文番号を表示する。
品目表示欄８７１ａは、注文された商品の品目、つまり連結具１０１か連結具付き構造材２０１かのいずれか一方又は両方を表示する。
単価表示欄８７１ｂは、注文された品目の単価を表示する。
数量表示欄８７１ｃは、注文された品目の購入個数を表示する。
金額表示欄８７１ｄは、単価表示欄８７１ｂに表示される注文された品目の単価に数量表示欄８７１ｃに表示される購入個数を掛け合わせた金額を表示する。
合計金額表示欄８７１ｅは、注文番号表示欄８７１ｉｄに表示される注文番号によって特定される取引の合計金額を表示する。
【０１９２】
（ｂ）注文確認画面（フレーム構造体が注文された場合）
【０１９３】
図２９は、購入対象選択画面８０１でフレーム構造体３０１が購入対象として選択された場合に販売者端末７０１ｂで閲覧可能な注文確認画面８７１の一例を示す模式図である。
【０１９４】
図２９に例示する注文確認画面８７１のコンテンツ領域Ｂ１にも、図２８に例示する注文確認画面８７１のコンテンツ領域Ｂ１に表示される情報と同一の情報が表示される。
図２９に例示する注文確認画面８７１が図２８に例示する注文確認画面８７１と相違するのは、コンテンツ領域Ｂ１に注文されたフレーム構造体３０１のモデル画像ｅＩＭＧを表示する点である。
【０１９５】
このモデル画像ｅＩＭＧは、図２６に例示する注文確定画面８５１に表示されるモデル画像ｅＩＭＧと同様に、ポインティングデバイス７３２を用いて構成要素、つまり連結具付き構造材２０１（あるいは構造材１１）を個々に選択可能にする。構成要素が選択されると、品目表示欄８７１ａ、数量表示欄８７１ｃ、金額表示欄８７１ｄに表示される対応する連結具付き構造材２０１（あるいは構造材１１）の表示の態様が変化する。表示態様の変化は、例えば文字の色彩、太字表示、点滅表示、アンダーラインなどの手法で行われる。こうして品目表示欄８７１ａ、数量表示欄８７１ｃ、金額表示欄８７１ｄに表示される連結具付き構造材２０１（あるいは構造材１１）の表示態様を変化させることで、それらの部材がフレーム構造体３０１のどの部分に使われるものなのかを一目瞭然とすることができる。
【０１９６】
（５）販売仲介装置、販売仲介方法、コンピュータプログラムの作用効果
本実施の形態のＷＥＢサーバ６０１（販売仲介装置）、販売仲介方法、コンピュータプログラムＰ１は、次に示す各種の作用効果を奏する。
【０１９７】
アルミなどの押出材からなる構造材１１に別の部材との連結構造を付加するに際して、構造材１１への位置決めの労力を大幅に軽減してその作業性を向上させることができ、また連結箇所が増えても部品コストを著しく増加させることがない経済性に優れた連結具１０１について、複雑な操作手順を要求することなくネットワーク通信網５０１を用いた販売の仲介を行うことができる。
【０１９８】
情報処理部６１１が第１及び第２の情報入力画面８１１，８３１に先立ち、購入者端末７０１ａに向けて、購入対象が連結具１０１だけなのか、この連結具１０１を装着する構造材１１も含めて購入対象とするのかを択一的に選択させる購入対象選択画面８０１を表示させるデータを送信するので、連結具１０１を構造材１１に装着した連結具付き構造材２０１についても、複雑な操作手順を要求することなくネットワーク通信網５０１を用いた販売の仲介を行うことができる。
【０１９９】
第１の情報入力画面８１１は幅指定欄８１１ｃ１と奥行指定欄８１１ｃ２と長さ指定欄８１１ｃ３とを備え、購入を望む連結具１０１を装着する構造材１１の太さ（幅と奥行）と長さの寸法を属性情報として入力させるので、構造材１１の寸法指定が可能であり、この寸法指定によって反射的に連結具１０１の基部１１１の幅と長さとを決定付けることができる。したがって購入者の作業負担を減らすことができる。
【０２００】
第１の情報入力画面８１１はメーカー指定欄８１１ｂ１と型番号指定欄８１１ｂ２と長さ指定欄８１１ｂ３とを備え、購入を望む連結具１０１を装着する構造材１１のメーカー名と型番号と長さとを属性情報として入力させるので、購入者において既に所持している構造材１１があるかこれから購入しようとしている構造材１１が決まっている場合には、その寸法（太さと長さ）の計測を要することなく連結具１０１の基部１１１の幅と長さとを決定付けることができる。したがって購入者の作業負担をより一層減らすことができる。
【０２０１】
購入対象選択画面８０１は、購入対象が連結具１０１を構造材１１に装着した連結具付き構造材２０１を用いたフレーム構造体３０１なのかも択一的に選択させるので、連結具付き構造材２０１を含むフレーム構造体３０１についても、複雑な操作手順を要求することなくネットワーク通信網５０１を用いた販売の仲介を行うことができる。
【０２０２】
購入対象選択画面８０１は、フレーム構造体３０１が購入対象として選択される場合、構造材１１を購入対象にしないという選択肢を用意するので、フレーム構造体３０１の販売形態に柔軟性を持たせることができ、これによって既に所持している構造材１１があるかこれから購入しようとしている構造材１１が決まっている購入者にまで、フレーム構造体３０１の購入可能性を広げることができる。
【０２０３】
情報処理部６１１は、フレーム構造体３０１が購入対象として選択された場合、購入者端末７０１ａに向けて、
・フレーム構造体３０１のモデル例を示すモデル画像ＩＭＧを表示して択一的に選択させる選択サブ画面８０２を表示させるデータと、
・選択サブ画面８０２において選択されたモデル画像ｅＩＭＧを個々の構造材１１を択一的に選択自在に第１及び第２の情報入力画面８１１，８３１に表示し、選択された構造材１１毎に属性情報と連結具特定情報とを入力させるデータと、
を送信するので、購入者にフレーム構造体３０１を構成する個々の構成要素（構造材１１又は連結具付き構造材２０１）を視覚的に確認させながら、それらの構成要素について属性情報と連結具特定情報とを入力させることができる。したがって購入者の作業負担を減らすことができる。
【０２０４】
第１の情報入力画面８１１は、フレーム構造体３０１の三次元寸法を属性情報として入力させるので、フレーム構造体３０１を構成する個々の構成要素（構造材１１又は連結具付き構造材２０１）の長さ寸法とフレーム構造体３０１の三次元寸法との間に乖離が発生する場合であっても、所望の大きさのフレーム構造体３０１を容易に購入させることができる。したがって購入者の作業負担を減らすことができる。
【０２０５】
フレーム構造体３０１の三次元寸法を属性情報として入力させる場合、第１の情報入力画面８１１は幅指定欄８１１ｃ１と奥行指定欄８１１ｃ２とを備え、購入を望む連結具１０１を装着する構造材１１の太さ寸法を属性情報として入力させるので、構造材１１の寸法指定が可能であり、この寸法指定によって反射的に連結具１０１の基部１１１の幅と長さとを決定付けることができる。したがって購入者の作業負担を減らすことができる。
【０２０６】
フレーム構造体３０１の三次元寸法を属性情報として入力させる場合、第１の情報入力画面８１１はメーカー指定欄８１１ｂ１と型番号指定欄８１１ｂ２とを備え、購入を望む連結具１０１を装着する構造材１１のメーカー名と型番号とを属性情報として入力させるので、購入者において既に所持している構造材１１があるかこれから購入しようとしている構造材１１が決まっている場合には、その寸法（太さと長さ）の計測を要することなく連結具１０１の基部１１１の幅と長さとを決定付けることができる。したがって購入者の作業負担をより一層減らすことができる。
【０２０７】
注文確定画面８５１は、フレーム構造体３０１が購入対象として選択されて第１及び第２の情報入力画面８１１，８３１で必要な情報が入力されている場合、購入対象として選択されたモデル画像ｅＩＭＧ上で個々の構造材１１に対応する注文情報を表示させるので、フレーム構造体３０１を構成する個々の構成要素（構造材１１又は連結具付き構造材２０１）とそれらの構成要素毎の注文情報とを視覚的に対応付けて購入者に見せることができ、購入者による注目確認作業の作業負担を減らすことができる。
【０２０８】
情報処理部６１１は、フレーム構造体３０１が購入対象として確定している場合、販売者端末７０１ｂに向けて、購入対象として確定したモデル画像ｅＩＭＧ上で個々の構造材１１に対応する注文情報を表示させる注文確認画面８７１のデータを送信するので、フレーム構造体３０１を構成する個々の構成要素（構造材１１又は連結具付き構造材２０１）とそれらの構成要素毎の注文情報とを視覚的に対応付けて販売者に見せることができ、販売者による注目確認作業の作業負担を減らすことができる。
【０２０９】
第２の情報入力画面８３１は、購入を望む連結具１０１の端部から直近に位置する連結部１２１までの距離寸法と連結部１２１の配列ピッチとを、連結部１２１の位置と数量とを特定する連結部特定情報として入力させるので、連結部特定情報の入力に要する作業者の作業負担を減らすことができる。
【０２１０】
（６）販売仲介装置、販売仲介方法、コンピュータプログラムの変形例
本実施の形態のＷＥＢサーバ６０１（販売仲介装置）、販売仲介方法、コンピュータプログラムＰ１については、各種の変更や変形が可能である。ここでは各種の変形例を紹介する。これらの各種変形例は一例を示すに過ぎず、ここで紹介するものだけが変形例として許容されることを意図していない。
【０２１１】
（ａ）アーキテクチァ
図１６〜図１８に示すネットワーク通信網５０１、ＷＥＢサーバ６０１、記憶装置６０２、パソコン７０１（購入者端末７０１ａ、販売者端末７０１ｂ）は、本実施の形態の機能を実現するハードウェアの一例にすぎない。
例えばＷＥＢサーバ６０１は必ずしもサーバである必要はなく、一般的なパーソナルコンピュータであってもよい。
パソコン７０１も一例を示すに過ぎず、携帯電話やスマートフォン、携帯情報端末などのような携帯型の端末を購入者端末７０１ａとして用いたり、販売者端末７０１ｂとして用いたりすることも可能である。
記憶装置６０２はＷＥＢサーバ６０１に直接接続されていても、構内ネットワークなどを介して有線又は無線で接続されていても、あるいはネットワーク通信網５０１を介してＷＥＢサーバ６０１に接続されていてもよい。しかもＷＥＢサーバ６０１が注文確定画面８５１で購入者端末７０１ａが確定した注文情報のデータを受信し保存するのは、記憶装置６０２に限らず、例えばＷＥＢサーバ６０１が内蔵するＨＤＤやその他の情報保持媒体などであってもよい。
【０２１２】
（ｂ）各種画面
購入対象選択画面８０１、第１の情報入力画面８１１（８１１Ａ、８１１Ｂ、８１１Ｃ）、第２の情報入力画面８３１（８３１ＡＢ、８３１Ｃ、８３１Ｄ、８３１Ｄａ、８３１Ｄｂ、８３１Ｅ、８３１Ｅａ）、注文確定画面８５１、及び注文確認画面８７１の画面構成については、各種の変形や変更が可能である。
また本実施の形態ではそれらの各画面８０１、８１１（８１１Ａ、８１１Ｂ、８１１Ｃ）、８３１（８３１ＡＢ、８３１Ｃ、８３１Ｄ、８３１Ｄａ、８３１Ｄｂ、８３１Ｅ、８３１Ｅａ）、８５１、及び８７１を別個独立の画面としたが、実施に際してはその全部又は一部を同一の画面内にレイアウトしてもよい。
【０２１３】
（ｃ）処理
図１９〜図２９に基づいて各種の処理を説明したが、このような処理についても各種の変形や変更が許容される。
例えば図２０〜図２６に例示する各種の画面上で購入者端末７０１ａが各種の操作を行った場合、あるいは図２８及び図２９に例示する各種の画面各種の画面上で販売者端末７０１ｂが各種の操作を行った場合、本実施の形態ではその操作結果を直ちにＷＥＢサーバ６０１に送信する一例を示した。これに対して実施に際しては、購入者端末７０１ａ及び販売者端末７０１ｂでの操作結果をそれらの購入者端末７０１ａ及び販売者端末７０１ｂがそのＲＡＭ７１６などに一時記憶し、一時記憶したデータの全部又は一部を予め決められたタイミングでＷＥＢサーバ６０１に送信するようにしてもよい。
【符号の説明】
【０２１４】
１１      構造材
３１      溝
３２      間口
３３      突条
１０１      連結具
１１１      基部
１２１      連結部
２０１      連結具付き構造材
３０１      フレーム構造体
５０１      ネットワーク通信網（電気通信回線）
６０１      ＷＥＢサーバ（販売仲介装置）
６０２      記憶装置（記憶部）
６１１      情報処理部
７０１      パソコン（情報処理端末）
７０１ａ    購入者端末
７０１ｂ    販売者端末
８０１      購入対象選択画面
８０２      選択サブ画面
８１１      第１の情報入力画面
８１１Ａ    第１の情報入力画面
８１１Ｂ    第１の情報入力画面
８１１Ｃ    第１の情報入力画面
８１１Ｆ    第１の情報入力画面
８３１      第２の情報入力画面
８３１Ａ    第２の情報入力画面
８３１Ｂ    第２の情報入力画面
８３１Ｃ    第２の情報入力画面
８３１Ｄ    第２の情報入力画面
８３１Ｄａ  第２の情報入力画面
８３１Ｄｂ  第２の情報入力画面
８３１Ｅ    第２の情報入力画面
８３１Ｅａ  第２の情報入力画面
８５１      注文確定画面
８７１      注文確認画面
ＩＭＧ    モデル画像
ｅＩＭＧ    モデル画像
【図１】
2016076111.tif 000003
【図２】
2016076111.tif 000004
【図３】
2016076111.tif 000005
【図４】
2016076111.tif 000006
【図５】
2016076111.tif 000007
【図６】
2016076111.tif 000008
【図７】
2016076111.tif 000009
【図８】
2016076111.tif 000010
【図９】
2016076111.tif 000011
【図１０】
2016076111.tif 000012
【図１１】
2016076111.tif 000013
【図１２】
2016076111.tif 000014
【図１３】
2016076111.tif 000015
【図１４】
2016076111.tif 000016
【図１５】
2016076111.tif 000017
【図１６】
2016076111.tif 000018
【図１７】
2016076111.tif 000019
【図１８】
2016076111.tif 000020
【図１９】
2016076111.tif 000021
【図２０】
2016076111.tif 000022
【図２１】
2016076111.tif 000023
【図２２】
2016076111.tif 000024
【図２３】
2016076111.tif 000025
【図２４】
2016076111.tif 000026
【図２５】
2016076111.tif 000027
【図２６】
2016076111.tif 000028
【図２７】
2016076111.tif 000029
【図２８】
2016076111.tif 000030
【図２９】
2016076111.tif 000031